(57)【要約】【課題】第１液室を有するカートリッジが交換されてから、第２液室内の液面が所定位置以上となる前に、報知機の作動を解除することができる手段を提供する。【解決手段】コントローラは、カートリッジが装着ケースに装着されたと判定したことに基づいて、カウント値ＳＮ１が閾値Ｎｔ２に到達しているか否かを判定し、カウント値ＳＮ１が閾値Ｎｔ２に到達していないと判定したことに基づいて、第１報知を解除する。また、コントローラ１３０は、カウント値ＳＮ１が閾値Ｎｔ２に到達していると判定し、且つ、液面センサが出力するローレベル信号を受信したことに基づいて、第１報知を解除する。【選択図】図９
2019209667.tif 000002
【特許請求の範囲】
【請求項１】
液体が貯留された第１液室を有するカートリッジが装着される装着ケースと、
第２液室を有するタンクと、
一方が上記第２液室に連通されており、他方が上記装着ケースに装着された上記カートリッジの上記第１液室と連通される流路と、
上記第２液室と連通されるヘッドと、
液面センサと、
報知機と、
コントローラと、を備え、
上記コントローラは、
上記第２液室内の液面の位置が所定位置未満である場合に上記液面センサが出力する第１信号を受信したことに基づいて、上記報知機に第１報知を行わせ、
上記ヘッドを通じて液体を排出させる排出指示を受け付け、
上記第１信号の受信後に受け付けた上記排出指示で排出が指示された液体量に基づいて、上記第２液室に貯留されている液体の量に関する第１値を決定し、
上記カートリッジが上記装着ケースに装着されたかを判定し、
上記カートリッジが上記装着ケースに装着されたと判定したことに基づいて、上記第１値が第１閾値に到達しているか否かを判定し、
上記第１値が上記第１閾値に到達していないと判定したことに基づいて、上記第１報知を解除し、
上記第１値が上記第１閾値に到達していると判定し、且つ、上記第２液室内の液面の位置が上記所定位置以上である場合に上記液面センサが出力する第２信号を受信したことに基づいて、上記第１報知を解除する
液体排出装置。
【請求項２】
上記コントローラは、
上記第１値が上記第１閾値に到達していると判定したことに基づいて、上記ヘッドからの液体の排出を禁止し、
上記液面センサから上記第２信号を受信したことに基づいて、上記ヘッドからの液体の排出を許可する
請求項１に記載の液体排出装置。
【請求項３】
上記コントローラは、
上記ヘッドからの液体の排出を禁止した後に上記液面センサから上記第２信号を受信したことに基づいて、上記ヘッドからの液体の排出を許可する
請求項２に記載の液体排出装置。
【請求項４】
上記コントローラは、
上記第１値が上記第１閾値に到達していると判定したことに基づいて、上記報知機に上記第１報知と異なる第２報知を実行させ、
上記液面センサから上記第２信号を受信したことに基づいて、上記第２報知を解除し、上記報知機に上記第１報知及び上記第２報知と異なる第３報知を行わせる
請求項２又は３に記載の液体排出装置。
【請求項５】
上記装着ケースには、
カラー印刷に用いられるカラーインクが貯留された上記第１液室を有する上記カートリッジ、及び、モノクロ印刷に用いられるモノクロインクが貯留された上記第１液室を有する上記カートリッジの両方が装着され、
上記コントローラは、
上記排出指示として、シートに画像を記録させる記録指示を受け付け、
受け付けた上記記録指示が、上記ヘッドを通じてモノクロインクを排出させるモノクロ印刷指示であるか、又は、上記ヘッドを通じてカラーインクを排出させるカラー印刷指示であるかを判定し、
カラーインクが貯留された上記第１液室と連通する上記第２液室に貯留されているカラーインクの量に関する上記第１値が、上記第１閾値に到達していると判定し、且つ、上記記録指示がカラー印刷指示であると判定したことに基づいて、上記ヘッドからの液体の排出を禁止し、
カラーインクが貯留された上記第１液室と連通する上記第２液室に貯留されているカラーインクの量に関する上記第１値が、上記第１閾値に到達していると判定し、且つ、上記記録指示がモノクロ印刷指示であると判定したことに基づいて、上記ヘッドからの液体の排出を許可する
請求項１から４のいずれかに記載の液体排出装置。
【請求項６】
インタフェースを更に備え、
上記コントローラは、
上記カートリッジが上記装着ケースに装着されたと判定したことに基づいて、上記カートリッジのカートリッジメモリに記憶されたカートリッジ情報を上記インタフェースを通じて読み出し、
読み出した上記カートリッジ情報に基づいて、装着された上記カートリッジが第１のカートリッジであるか、又は、上記第１液室に最大貯留可能量の液体が貯留された状態で上記装着ケースに装着した際の上記第１液室から上記第２液室への液体の流入速度が上記第１のカートリッジと異なる第２のカートリッジであるかを判定し、
装着された上記カートリッジが上記第１のカートリッジであると判定したことに基づいて、第１所定値を上記第１閾値として決定し、上記第１値が、決定した上記第１閾値に到達しているか否かを判定し、
装着された上記カートリッジが上記第２のカートリッジであると判定したことに基づいて、上記第１所定値と異なる第２所定値を上記第１閾値として決定し、上記第１値が、決定した上記第１閾値に到達しているか否かを判定する
請求項１から５のいずれかに記載の液体排出装置。
【請求項７】
インタフェースを更に備え、
上記コントローラは、
上記第１信号の受信後に受け付けた上記排出指示で排出が指示された液体量に相当する値で、上記第１値としての第１カウント値を決定し、
上記カートリッジが上記装着ケースに装着されたと判定したことに基づいて、上記カートリッジのカートリッジメモリに記憶されたカートリッジ情報を上記インタフェースを通じて読み出し、
読み出した上記カートリッジ情報に基づいて、装着された上記カートリッジが第１のカートリッジであるか、又は、上記第１液室に最大貯留可能量の液体が貯留された状態で上記装着ケースに装着した際の上記第１液室から上記第２液室への液体の流入速度が上記第１のカートリッジよりも大きい第２のカートリッジであるかを判定し、
装着された上記カートリッジが上記第１のカートリッジであると判定したことに基づいて、第３所定値を上記第１閾値として決定し、上記第１カウント値が、決定した上記第１閾値に到達しているか否かを判定し、
装着された上記カートリッジが上記第２のカートリッジであると判定したことに基づいて、上記第３所定値よりも大きい第４所定値を上記第１閾値として決定し、上記第１カウント値が、決定した上記第１閾値に到達しているか否かを判定する
請求項１から５のいずれかに記載の液体排出装置。
【請求項８】
インタフェースを更に備え、
上記コントローラは、
上記カートリッジが上記装着ケースに装着されたと判定したことに基づいて、上記カートリッジが有するカートリッジメモリに記憶された上記第１液室の液面高さ又は液体量を、上記インタフェースを通じて読み出し、
読み出した上記液面高さ又は上記液体量に基づいて上記第１閾値を決定し、
上記第１値が、決定した上記第１閾値に到達しているか否かを判定する
請求項１から５のいずれかに記載の液体排出装置。
【請求項９】
メモリを更に備え、
上記メモリは、印刷設定情報を記憶しており、
上記印刷設定情報は、第１印刷設定、又は、単位時間当たりの上記ヘッドからの液体の排出量が上記第１印刷設定と異なる第２印刷設定のいずれかを示し、
上記コントローラは、
上記印刷設定情報が上記第１印刷設定又は上記第２印刷設定のいずれを示すかを判定し、
上記印刷設定情報が上記第１印刷設定を示すと判定したことに基づいて、第５所定値を上記第１閾値として決定し、上記第１値が、決定した上記第１閾値に到達しているか否かを判定し、
上記印刷設定情報が上記第２印刷設定を示すと判定したことに基づいて、上記第５所定値と異なる第６所定値を上記第１閾値として決定し、上記第１値が、決定した上記第１閾値に到達しているか否かを判定する
請求項１から８のいずれかに記載の液体排出装置。
【請求項１０】
上記コントローラは、
上記排出指示として、シートに画像を記録させる記録指示を受け付け、
上記記録指示は、第３印刷設定、又は、単位時間当たりの上記ヘッドからの液体の排出量が上記第３印刷設定と異なる第４印刷設定のいずれかを指定しており、
上記コントローラは、
受け付けた上記記録指示が上記第３印刷設定又は上記第４印刷設定のいずれを指定しているかを判定し、
上記記録指示が上記第３印刷設定を指定していると判定したことに基づいて、第７所定値を上記第１閾値として決定し、上記第１値が、決定した上記第１閾値に到達しているか否かを判定し、
上記記録指示が上記第４印刷設定を指定していると判定したことに基づいて、上記第７所定値と異なる第８所定値を上記第１閾値として決定し、上記第１値が、決定した上記第１閾値に到達しているか否かを判定する
請求項１から８のいずれかに記載の液体排出装置。
【請求項１１】
インタフェースを更に備え、
上記コントローラは、
上記カートリッジが上記装着ケースに装着されたと判定したことに基づいて、上記カートリッジが有するカートリッジメモリに記憶された、上記第１液室に貯留された液体量を上記インタフェースを通じて読み出し、
読み出した上記液体量が第２閾値以上であるか判定し、
上記液体量が上記第２閾値以上であると判定したことに基づいて、上記第１値が上記第１閾値に到達しているか否かを判定する
請求項１から１０のいずれかに記載の液体排出装置。
【請求項１２】
上記装着ケースには、一端が上記第１液室と連通され且つ他端が外部と連通される第１流路、及び一端が上記第１液室と連通され且つ他端が外部と連通される第２流路を有するカートリッジが装着され、
上記タンクは、
一端が外部と連通され且つ他端が上記第２液室と連通される第３流路と、
上記第３流路よりも下方に位置する一端が上記第２液室と連通される第４流路と、
一端が上記第２液室に連通され且つ他端が外部と連通される第５流路と、
を有し、
上記ヘッドは、上記第４流路の他端と連通され、
上記第１流路及び上記第３流路の少なくとも一方は、上記カートリッジが上記装着ケースに装着されたときに、上記第１液室及び上記第２液室を連通する
請求項１から１１のいずれかに記載の液体排出装置。
【請求項１３】
液体が貯留された第１液室を有するカートリッジと、
上記カートリッジが装着される装着ケースと、
第２液室を有するタンクと、
一方が上記第２液室に連通されており、他方が上記装着ケースに装着された上記カートリッジの上記第１液室と連通される流路と、
上記第２液室と連通されるヘッドと、
液面センサと、
報知機と、
コントローラと、を備え、
上記コントローラは、
上記第２液室内の液面の位置が所定位置未満である場合に上記液面センサが出力する第１信号を受信したことに基づいて、上記報知機に第１報知を行わせ、
上記ヘッドを通じて液体を排出させる排出指示を受け付け、
上記第１信号の受信後に受け付けた上記排出指示で排出が指示された液体量に基づいて、上記第２液室に貯留されている液体の量に関する第１値を決定し、
上記カートリッジが上記装着ケースに装着されたかを判定し、
上記カートリッジが上記装着ケースに装着されたと判定したことに基づいて、上記第１値が第１閾値に到達しているか否かを判定し、
上記第１値が上記第１閾値に到達していないと判定したことに基づいて、上記第１報知を解除し、
上記第１値が上記第１閾値に到達していると判定し、且つ、上記第２液室内の液面の位置が上記所定位置以上である場合に上記液面センサが出力する第２信号を受信したことに基づいて、上記第１報知を解除する
液体排出装置。
【発明の詳細な説明】
【技術分野】
【０００１】
本発明は、液体を排出する液体排出装置に関する。
【背景技術】
【０００２】
従来より、着脱可能なメインタンクと、装着されたメインタンクから供給されたインクを貯留するサブタンクと、サブタンクに貯留されたインクを吐出して画像を記録する画像記録ユニットとを備えるインクジェットプリンタが知られている（例えば、特許文献１）。また、上記インクジェットプリンタは、メインタンク及びサブタンクの内部空間が大気に開放されている。そのため、メインタンクをインクジェットプリンタに装着すると、メインタンクの内部空間の水頭及びサブタンクの内部空間の水頭の差（以下、「水頭差」と表記する。）によって、メインタンク及びサブタンクの液面が同一高さに揃うように、水頭圧によってインクが移動する。そして、上記インクジェットプリンタは、残量検出センサで検出したインクの残量が閾値未満になったことに応じて、ディスプレイにカートリッジ交換が必要である旨を表示したり、インクがエンプティであることを表示したりする。
【先行技術文献】
【特許文献】
【０００３】
【特許文献１】特開２００８−２１３１６２号公報
【発明の概要】
【発明が解決しようとする課題】
【０００４】
例えば上記の構成を有するインクジェットプリンタにおいて、メインタンクが交換されると、メインタンクからサブタンクへインクが流出する。仮に、サブタンク内のインクを検出する残量検出センサがあれば、メインタンクからサブタンクへインクが流れ込み、やがて、残量検出センサの検知信号が変化する。残量検出センサの検知信号が変化すると、インクジェットプリンタは、ディスプレイにおけるカートリッジ交換が必要である旨の表示やエンプティの表示を消去することができる。しかしながら、メインタンクからサブタンクへインクが流出して、残量検出センサが出力する信号が変化するまでに時間を要すると、その間ディスプレイの表示が消えない。そのため、メインタンクを交換したユーザは、ディスプレイの表示が消えないことから、メインタンクの交換の不備を想定するおそれがある。
【０００５】
本発明は、前述された事情に鑑みてなされたものであり、その目的は、第１液室を有するカートリッジが交換されてから、第２液室内の液面が所定位置以上となる前に、報知機の作動を解除することができる手段を提供することにある。
【課題を解決するための手段】
【０００６】
(1)  本発明に係る液体排出装置は、液体が貯留された第１液室を有するカートリッジが装着される装着ケースと、第２液室を有するタンクと、一方が上記第２液室に連通されており、他方が上記装着ケースに装着された上記カートリッジの上記第１液室と連通される流路と、上記第２液室と連通されるヘッドと、液面センサと、報知機と、コントローラと、を備える。上記コントローラは、上記第２液室内の液面の位置が所定位置未満である場合に上記液面センサが出力する第１信号を受信したことに基づいて、上記報知機に第１報知を行わせ、上記ヘッドを通じて液体を排出させる排出指示を受け付け、上記第１信号の受信後に受け付けた上記排出指示で排出が指示された液体量に基づいて、上記第２液室に貯留されている液体の量に関する第１値を決定し、上記カートリッジが上記装着ケースに装着されたかを判定し、上記カートリッジが上記装着ケースに装着されたと判定したことに基づいて、上記第１値が第１閾値に到達しているか否かを判定し、上記第１値が上記第１閾値に到達していないと判定したことに基づいて、上記第１報知を解除し、上記第１値が上記第１閾値に到達していると判定し、且つ、上記第２液室内の液面の位置が上記所定位置以上である場合に上記液面センサが出力する第２信号を受信したことに基づいて、上記第１報知を解除する。
【０００７】
上記構成によれば、第１報知が行われた状態において、カートリッジが交換されてから、第２液室の液面が所定位置以上となる前に、第２液室に貯留されている液体の量に関する第１値が第１閾値に到達していないことを条件として、第１報知を解除することができる。当該第１値は、例えば、第２液室に貯留されている液体量そのものであってもよいし、当該液体量を算出するための、排出指示で排出が指示された液体量であってもよい。
【０００８】
(2)  好ましくは、上記コントローラは、上記第１値が上記第１閾値に到達していると判定したことに基づいて、上記ヘッドからの液体の排出を禁止し、上記液面センサから上記第２信号を受信したことに基づいて、上記ヘッドからの液体の排出を許可する。
【０００９】
上記構成によれば、カートリッジが交換されてから、第２液室の液面が所定位置以上となる前に、第２液室に貯留されている液体の量に関する第１値が第１閾値に到達している場合に、ヘッドからの液体の排出が禁止される。そして、第２液室の液面が所定位置以上となったことに基づいて、液体の排出が許可される。
【００１０】
(3)  好ましくは、上記コントローラは、上記ヘッドからの液体の排出を禁止した後に上記液面センサから上記第２信号を受信したことに基づいて、上記ヘッドからの液体の排出を許可する。
【００１１】
(4)  好ましくは、上記コントローラは、上記第１値が上記第１閾値に到達していると判定したことに基づいて、上記報知機に上記第１報知と異なる第２報知を実行させ、上記液面センサから上記第２信号を受信したことに基づいて、上記第２報知を解除し、上記報知機に上記第１報知及び上記第２報知と異なる第３報知を行わせる。
【００１２】
上記構成によれば、第２液室に貯留されている液体の量に関する第１値が第１閾値に到達している場合に、第２報知が行われるので、例えば、カートリッジからタンクへ液体が流入中であることをユーザに報知することができる。また、第２液室の液面が所定位置以上となったことに応じて第３報知が行われるので、例えば、カートリッジからタンクへの液体の流入が進行し、印刷が実行されていることをユーザに報知することができる。
【００１３】
(5)  好ましくは、上記装着ケースには、カラー印刷に用いられるカラーインクが貯留された上記第１液室を有する上記カートリッジ、及び、モノクロ印刷に用いられるモノクロインクが貯留された上記第１液室を有する上記カートリッジの両方が装着される。上記コントローラは、上記排出指示として、シートに画像を記録させる記録指示を受け付け、受け付けた上記記録指示が、上記ヘッドを通じてモノクロインクを排出させるモノクロ印刷指示であるか、又は、上記ヘッドを通じてカラーインクを排出させるカラー印刷指示であるかを判定し、カラーインクが貯留された上記第１液室と連通する上記第２液室に貯留されているカラーインクの量に関する上記第１値が、上記第１閾値に到達していると判定し、且つ、上記記録指示がカラー印刷指示であると判定したことに基づいて、上記ヘッドからの液体の排出を禁止し、カラーインクが貯留された上記第１液室と連通する上記第２液室に貯留されているカラーインクの量に関する上記第１値が、上記第１閾値に到達していると判定し、且つ、上記記録指示がモノクロ印刷指示であると判定したことに基づいて、上記ヘッドからの液体の排出を許可する。
【００１４】
(6)  好ましくは、液体排出装置は、インタフェースを更に備える。上記コントローラは、上記カートリッジが上記装着ケースに装着されたと判定したことに基づいて、上記カートリッジのカートリッジメモリに記憶されたカートリッジ情報を上記インタフェースを通じて読み出し、読み出した上記カートリッジ情報に基づいて、装着された上記カートリッジが第１のカートリッジであるか、又は、上記第１液室に最大貯留可能量の液体が貯留された状態で上記装着ケースに装着した際の上記第１液室から上記第２液室への液体の流入速度が上記第１のカートリッジと異なる第２のカートリッジであるかを判定し、装着された上記カートリッジが上記第１のカートリッジであると判定したことに基づいて、第１所定値を上記第１閾値として決定し、上記第１値が、決定した上記第１閾値に到達しているか否かを判定し、装着された上記カートリッジが上記第２のカートリッジであると判定したことに基づいて、上記第１所定値と異なる第２所定値を上記第１閾値として決定し、上記第１値が、決定した上記第１閾値に到達しているか否かを判定する。
【００１５】
上記構成によれば、カートリッジからタンクへの液体の流入速度に応じて、異なる所定値が第１閾値として判定に用いられるので、第１値の判定が適切に行われる。なお、第２のカートリッジは、例えば、貯留される液体の粘度が異なることにより流入速度が第１のカートリッジと異なるものであってもよいし、貯留される液体の種類が異なる（例えば、顔料と染料）ことにより流入速度が第１のカートリッジと異なるものであってもよいし、形状が異なる（例えば、流路の形状や内径）ことにより流入速度が第１のカートリッジと異なるものであってもよい。
【００１６】
(7)  好ましくは、上記液体排出装置は、インタフェースを更に備える。上記コントローラは、上記第１信号の受信後に受け付けた上記排出指示で排出が指示された液体量に相当する値で、上記第１値としての第１カウント値を決定し、上記カートリッジが上記装着ケースに装着されたと判定したことに基づいて、上記カートリッジのカートリッジメモリに記憶されたカートリッジ情報を上記インタフェースを通じて読み出し、読み出した上記カートリッジ情報に基づいて、装着された上記カートリッジが第１のカートリッジであるか、又は、上記第１液室に最大貯留可能量の液体が貯留された状態で上記装着ケースに装着した際の上記第１液室から上記第２液室への液体の流入速度が上記第１のカートリッジよりも大きい第２のカートリッジであるかを判定し、装着された上記カートリッジが上記第１のカートリッジであると判定したことに基づいて、第３所定値を上記第１閾値として決定し、上記第１カウント値が、決定した上記第１閾値に到達しているか否かを判定し、装着された上記カートリッジが上記第２のカートリッジであると判定したことに基づいて、上記第３所定値よりも大きい第４所定値を上記第１閾値として決定し、上記第１カウント値が、決定した上記第１閾値に到達しているか否かを判定する。
【００１７】
上記構成によれば、カートリッジからタンクへの液体の流入速度が大きいほど、大きな第１閾値が判定に用いられるので、第１値としての第１カウント値の判定が適切に行われる。
【００１８】
(8)  好ましくは、上記液体排出装置は、インタフェースを更に備える。上記コントローラは、上記カートリッジが上記装着ケースに装着されたと判定したことに基づいて、上記カートリッジが有するカートリッジメモリに記憶された上記第１液室の液面高さ又は液体量を、上記インタフェースを通じて読み出し、読み出した上記液面高さ又は上記液体量に基づいて上記第１閾値を決定し、上記第１値が、決定した上記第１閾値に到達しているか否かを判定する。
【００１９】
上記構成によれば、カートリッジメモリに記憶された液面高さ又は液体量に基づいて第１閾値が決定されるので、第１値の判定が適切に行われる。
【００２０】
(9)  好ましくは、上記液体排出装置は、メモリを更に備える。上記メモリは、印刷設定情報を記憶しており、上記印刷設定情報は、第１印刷設定、又は、単位時間当たりの上記ヘッドからの液体の排出量が上記第１印刷設定と異なる第２印刷設定のいずれかを示す。上記コントローラは、上記印刷設定情報が上記第１印刷設定又は上記第２印刷設定のいずれを示すかを判定し、上記印刷設定情報が上記第１印刷設定を示すと判定したことに基づいて、第５所定値を上記第１閾値として決定し、上記第１値が、決定した上記第１閾値に到達しているか否かを判定し、上記印刷設定情報が上記第２印刷設定を示すと判定したことに基づいて、上記第５所定値と異なる第６所定値を上記第１閾値として決定し、上記第１値が、決定した上記第１閾値に到達しているか否かを判定する。
【００２１】
第１値についての判定に基づいて第１報知を解除するにあたり、例えば、将来液体が多く消費される可能性が高い場合は、タンクに貯留されている液体が比較的多い状態で第１報知が解除されると好ましい。逆に、液体が多く消費される可能性が低い場合は、タンクに貯留されている液体が比較的少ない状態で第１報知が解除されても、カートリッジからの液体の流入中にタンクの液体がなくなってしまう可能性は小さい。ここで、メモリに記憶されたデフォルトの印刷設定は、次回以降の印刷でも用いられる可能性が高い。そうすると、デフォルト設定が液体の消費量が多い設定である場合には、将来液体が多く消費される可能性が高い。逆に、デフォルト設定が液体の消費量が少ない設定である場合には、将来の液体の消費量は少ない可能性が高い。上記構成によれば、メモリに記憶された印刷設定情報が示す印刷の設定に応じて、異なる第１閾値が判定に用いられるので、将来の液体の消費量の予測に沿った第１値の判定を行うことができる。
【００２２】
(10)  好ましくは、上記コントローラは、上記排出指示として、シートに画像を記録させる記録指示を受け付け、上記記録指示は、第３印刷設定、又は、単位時間当たりの上記ヘッドからの液体の排出量が上記第３印刷設定と異なる第４印刷設定のいずれかを指定している。上記コントローラは、受け付けた上記記録指示が上記第３印刷設定又は上記第４印刷設定のいずれを指定しているかを判定し、上記記録指示が上記第３印刷設定を指定していると判定したことに基づいて、第７所定値を上記第１閾値として決定し、上記第１値が、決定した上記第１閾値に到達しているか否かを判定し、上記記録指示が上記第４印刷設定を指定していると判定したことに基づいて、上記第７所定値と異なる第８所定値を上記第１閾値として決定し、上記第１値が、決定した上記第１閾値に到達しているか否かを判定する。
【００２３】
第１値についての判定に基づいて第１報知を解除するにあたり、例えば、将来液体が多く消費される可能性が高い状態においては、タンクに貯留されている液体が比較的多い状態で第１報知が解除されると好ましい。逆に、将来液体が多く消費される可能性が低い状態においては、タンクに貯留されている液体が比較的少ない状態で第１報知が解除されても、カートリッジからの液体の流入中にタンクの液体がなくなってしまう可能性は小さい。ここで、過去に受け付けた記録指示が示す印刷の設定は、次回以降の記録指示でも用いられる可能性が高い。そうすると、受け付けた記録指示が示す印刷の設定が、液体の消費量が多い設定である場合には、将来液体が多く消費される可能性が高い。逆に、液体の消費量が少ない設定である場合には、将来の液体の消費量は少ない可能性が高い。上記構成によれば、受け付けた記録指示が示す印刷の設定に応じて、異なる第１閾値が判定に用いられるので、将来の液体の消費量の予測に沿った第１値の判定を行うことができる。
【００２４】
(11)  好ましくは、上記液体排出装置は、インタフェースを更に備える。上記コントローラは、上記カートリッジが上記装着ケースに装着されたと判定したことに基づいて、上記カートリッジが有するカートリッジメモリに記憶された、上記第１液室に貯留された液体量を上記インタフェースを通じて読み出し、読み出した上記液体量が第２閾値以上であるか判定し、上記液体量が上記第２閾値以上であると判定したことに基づいて、上記第１値が上記第１閾値に到達しているか否かを判定する。
【００２５】
上記構成によれば、カートリッジメモリから読み出した液体量が第２閾値以上であることを条件として、第１値の判定が行われるので、装着されたカートリッジに十分な量の液体が貯留されている場合に、第１報知を解除することができる。
【００２６】
(12)  好ましくは、上記装着ケースには、一端が上記第１液室と連通され且つ他端が外部と連通される第１流路、及び一端が上記第１液室と連通され且つ他端が外部と連通される第２流路を有するカートリッジが装着される。上記タンクは、一端が外部と連通され且つ他端が上記第２液室と連通される第３流路と、上記第３流路よりも下方に位置する一端が上記第２液室と連通される第４流路と、一端が上記第２液室に連通され且つ他端が外部と連通される第５流路と、を有する。上記ヘッドは、上記第４流路の他端と連通される。上記第１流路及び上記第３流路の少なくとも一方は、上記カートリッジが上記装着ケースに装着されたときに、上記第１液室及び上記第２液室を連通する。
【００２７】
(13)  本発明に係る液体排出装置は、液体が貯留された第１液室を有するカートリッジと、上記カートリッジが装着される装着ケースと、第２液室を有するタンクと、一方が上記第２液室に連通されており、他方が上記装着ケースに装着された上記カートリッジの上記第１液室と連通される流路と、上記第２液室と連通されるヘッドと、液面センサと、報知機と、コントローラと、を備える。上記コントローラは、上記第２液室内の液面の位置が所定位置未満である場合に上記液面センサが出力する第１信号を受信したことに基づいて、上記報知機に第１報知を行わせ、上記ヘッドを通じて液体を排出させる排出指示を受け付け、上記第１信号の受信後に受け付けた上記排出指示で排出が指示された液体量に基づいて、上記第２液室に貯留されている液体の量に関する第１値を決定し、上記カートリッジが上記装着ケースに装着されたかを判定し、上記カートリッジが上記装着ケースに装着されたと判定したことに基づいて、上記第１値が第１閾値に到達しているか否かを判定し、上記第１値が上記第１閾値に到達していないと判定したことに基づいて、上記第１報知を解除し、上記第１値が上記第１閾値に到達していると判定し、且つ、上記第２液室内の液面の位置が上記所定位置以上である場合に上記液面センサが出力する第２信号を受信したことに基づいて、上記第１報知を解除する。
【００２８】
上記構成によれば、第１報知が行われた状態において、カートリッジが交換されてから、第２液室の液面が所定位置以上となる前に、第２液室に貯留されている液体の量に関する第１値が第１閾値に到達していないことを条件として、第１報知を解除することができる。当該第１値は、例えば、第２液室に貯留されている液体量そのものであってもよいし、当該液体量を算出するための、排出指示で排出が指示された液体量であってもよい。
【発明の効果】
【００２９】
本発明によれば、カートリッジが交換されてから、第２液室内の液面が所定位置以上となる前に、報知機の作動を解除することができる。
【図面の簡単な説明】
【００３０】
【図１】図１は、プリンタ１０の外観斜視図であって、（Ａ）はカバー８７が被覆位置である状態、（Ｂ）はカバー８７が露出位置である状態を示す。
【図２】図２は、プリンタ１０の内部構造を模式的に示す模式断面図である。
【図３】図３は、装着ケース１５０の縦断面図である。
【図４】図４は、カートリッジ２００の構造を示す図であって、（Ａ）は前方斜視図を、（Ｂ）は縦断面図を示す。
【図５】図５は、装着ケース１５０にカートリッジ２００が装着された状態の縦断面図である。
【図６】図６は、プリンタ１０のブロック図である。
【図７】図７は、画像記録処理のフローチャートである。
【図８】図８は、カウント処理のフローチャートである。
【図９】図９は、Ｅｍｐｔｙ仮解除処理のフローチャートである。
【図１０】図１０は、Ｅｍｐｔｙ正式解除処理のフローチャートである。
【図１１】図１１は、画像記録処理の一部の処理を示すフローチャートである。
【図１２】図１２（Ａ）は、Ｃ＿Ｅｍｐｔｙ報知画面を示す図であり、図１２（Ｂ）は、印刷中画面を示す図であり、図１２（Ｃ）は、インク不足報知画面を示す図である。
【図１３】図１３（Ａ）は、インク流入中画面を示す図であり、図１３（Ｂ）は、流入エラー報知画面を示す図である。
【図１４】図１４は、変形例１のＥｍｐｔｙ仮解除処理のフローチャートである。
【図１５】図１５は、変形例２のＥｍｐｔｙ仮解除処理のフローチャートである。
【図１６】図１６は、変形例３のＥｍｐｔｙ仮解除処理のフローチャートである。
【図１７】図１７は、変形例４のＥｍｐｔｙ仮解除処理のフローチャートである。
【発明を実施するための形態】
【００３１】
以下、本発明の実施形態について説明する。なお、以下に説明される実施形態は本発明の一例にすぎず、本発明の要旨を変更しない範囲で、本発明の実施形態を適宜変更できることは言うまでもない。また、プリンタ１０が使用可能に水平面に設置された使用姿勢を基準として上下方向７が定義され、プリンタ１０の開口１３が形成された面を前面として前後方向８が定義され、プリンタ１０を前面から見て左右方向９が定義される。本実施形態では、使用姿勢において、上下方向７が鉛直方向に相当し、前後方向８及び左右方向９が水平方向に相当する。前後方向８及び左右方向９は、直交している。
【００３２】
［プリンタ１０の概要］
本実施形態に係るプリンタ１０は、インクジェット記録方式でシートに画像を記録する液体排出装置の一例である。プリンタ１０は、概ね直方体形状の筐体１４を有している。また、プリンタ１０は、ファクシミリ機能、スキャン機能、及びコピー機能などの機能を有する、所謂、「複合機」であってもよい。
【００３３】
筐体１４の内部には、図１及び図２に示されるように、給送トレイ１５と、給送ローラ２３と、搬送ローラ２５と、複数のノズル２９を有するヘッド２１と、ヘッド２１に対面するプラテン２６と、排出ローラ２７と、排出トレイ１６と、カートリッジ２００が着脱される装着ケース１５０と、ヘッド２１及び装着ケース１５０に装着されたカートリッジ２００を連通させるチューブ３２とが位置している。
【００３４】
プリンタ１０は、給送ローラ２３及び搬送ローラ２５を駆動させて、給送トレイ１５に支持されたシートをプラテン２６の位置まで搬送する。次に、プリンタ１０は、装着ケース１５０に装着されたカートリッジ２００からチューブ３２を通じて供給されるインクを、ヘッド２１にノズル２９を通じて吐出させる。これにより、プラテン２６に支持されたシートにインクが着弾して、シート上に画像が記録される。そして、プリンタ１０は、排出ローラ２７を駆動させて、画像が記録されたシートを排出トレイ１６に排出する。
【００３５】
より詳細には、ヘッド２１は、搬送ローラ２５によるシートの搬送向きと交差する主走査方向に往復移動するキャリッジに搭載されていてもよい。そして、プリンタ１０は、主走査方向の一方から他方へキャリッジを移動させる過程で、ヘッド２１にノズル２９を通じてインクを吐出させてもよい。これにより、ヘッド２１に対面するシートの一部の領域（以下、「１パス」と表記する。）に画像が記録される。次に、プリンタ１０は、次に画像が記録されるべき領域がヘッド２１に対面するように、搬送ローラ２５にシートを搬送させてもよい。そして、これらの処理を交互に繰り返し実行させることによって、１枚のシートに画像が記録される。
【００３６】
なお、本実施形態においては、画像記録におけるヘッド２１のノズル２９からのインクの排出が「吐出」と称され、他方、パージにおけるヘッド２１のノズル２９からのインクの排出が「吐出」と称されないが、「吐出」は「排出」に含まれる概念である。
【００３７】
［カバー８７］
図１に示されるように、筐体１４の前面１４Ａで且つ左右方向９の右端部には、開口８５が形成されている。筐体１４は、さらにカバー８７を備える。カバー８７は、開口８５を閉塞させる被覆位置（図１（Ａ）に示される位置）と、開口８５を開放する露出位置（図１（Ｂ）に示される位置）との間を回動可能である。カバー８７は、例えば、上下方向７における筐体１４の下端近傍において、左右方向９に沿う回動軸線周りに回動可能に、筐体１４によって支持されている。そして、開口８５の奥に広がる筐体１４内部の収容空間８６には、装着ケース１５０が位置している。
【００３８】
［カバーセンサ８８］
プリンタ１０は、カバーセンサ８８（図６参照）を有する。カバーセンサ８８は、例えば、カバー８７が接離するスイッチ等の機械式センサであってもよいし、カバー８７の位置によって光が遮断或いは透過される光学式センサであってもよい。カバーセンサ８８は、カバー８７の位置に応じた信号をコントローラ１３０に出力する。より詳細には、カバーセンサ８８は、カバー８７が被覆位置に位置していることに応じて、ローレベル信号をコントローラ１３０へ出力する。一方、カバーセンサ８８は、カバー８７が被覆位置と異なる位置に位置していることに応じて、ローレベル信号より信号強度の高いハイレベル信号をコントローラ１３０へ出力する。換言すれば、カバーセンサ８８は、カバー８７が露出位置に位置していることに応じて、ハイレベル信号をコントローラ１３０へ出力する。
【００３９】
［装着ケース１５０］
装着ケース１５０は、図３に示されるように、接点１５２と、ロッド１５３と、装着センサ１５４と、液面センサ１５５と、ロックピン１５６とを備えている。装着ケース１５０には、ブラック、シアン、マゼンタ、イエローの各色に対応する４つのカートリッジ２００が収容可能である。すなわち、装着ケース１５０は、接点１５２、ロッド１５３、装着センサ１５４、液面センサ１５５は、４つのカートリッジ２００それぞれに対応して、４つずつ備えている。なお、装着ケース１５０に収容可能なカートリッジ２００の数は、４つに限定されず、１つでも良いし、５つ以上でも良い。シアン、マゼンタ、イエローのインクは、カラー印刷に用いられるカラーインクの一例である。ブラックのインクは、モノクロ印刷に用いられるモノクロインクの一例である。接点１５２は、インタフェースの一例である。
【００４０】
装着ケース１５０は、装着されたカートリッジ２００を収容する内部空間を有する箱形状である。装着ケース１５０の内部空間は、上端を画定する天壁と、下端を画定する底壁と、前後方向８の後端を画定する奥壁と、左右方向９の両端を画定する一対の側壁とで画定される。一方、装着ケース１５０の奥壁と対面する位置は、開口８５となっている。すなわち、開口８５は、カバー８７を露出位置に配置したときに、装着ケース１５０の内部空間を、プリンタ１０の外部に露出させる。
【００４１】
そして、カートリッジ２００は、筐体１４の開口８５を通じて、装着ケース１５０に挿入され、装着ケース１５０から抜かれる。より詳細には、カートリッジ２００は、開口８５を前後方向８の後ろ向きに通過して、装着ケース１５０に装着される。装着ケース１５０から抜かれるカートリッジ２００は、開口８５を前後方向８の前向きに通過する。
【００４２】
装着ケース１５０は、複数種類のカートリッジ２００が装着可能なように構成されている。複数種類のカートリッジ２００は、液室２１０の形状及び断面積が異なることによって液室２１０の容積が異なり、各液室２１０に最初に貯留されるインク量Ｖｃ、すなわち初期インク量Ｖｃ０が異なるものである。本実施形態では、後述する標準のカートリッジ２００（第１のカートリッジの一例）と、当該カートリッジ２００より初期インク量が多い大容量カートリッジ（第２のカートリッジの一例）が装着ケース１５０に装着可能であるとする。大容量カートリッジは、液室２１０に最大貯留可能量（すなわちＶｃ０）のインクが貯留された状態で装着ケース１５０に装着した際の液室２１０から液室１７０へのインクの流入速度が、標準のカートリッジ２００よりも大きい。
【００４３】
［接点１５２］
接点１５２は、装着ケース１５０の天壁に位置している。接点１５２は、天壁から装着ケース１５０の内部空間へ向けて下方に突出している。接点１５２は、装着ケース１５０にカートリッジ２００が装着された状態において、カートリッジ２００の後述する電極２４８に接する位置に位置している。接点１５２は、導電性を有しており、さらに上下方向７に沿って弾性的に変形可能である。接点１５２は、コントローラ１３０に電気的に接続されている。
【００４４】
［ロッド１５３］
ロッド１５３は、装着ケース１５０の奥壁から前方へ突出している。ロッド１５３は、装着ケース１５０の奥壁において、後述するジョイント１８０より上方に位置している。ロッド１５３は、カートリッジ２００が装着ケース１５０に装着される過程において、カートリッジ２００の後述する大気連通口２２１を通じて大気バルブ室２１４に進入する。ロッド１５３が大気バルブ室２１４に進入すると、後述する大気バルブ室２１４が大気に連通される。
【００４５】
［装着センサ１５４］
装着センサ１５４は、装着ケース１５０の天壁に位置している。装着センサ１５４は、カートリッジ２００が装着ケース１５０に装着されているか否かを、コントローラ１３０が検出するためのセンサである。装着センサ１５４は、左右方向９に離間した発光部及び受光部を備える。装着ケース１５０にカートリッジ２００が装着された状態において、カートリッジ２００の後述する遮光リブ２４５は、装着センサ１５４の発光部及び受光部の間に位置する。換言すれば、装着センサ１５４の発光部及び受光部は、装着ケース１５０に装着されたカートリッジ２００の遮光リブ２４５を挟んで、互いに対向した状態で位置している。
【００４６】
装着センサ１５４は、発光部から左右方向９に沿って照射された光が受光部で受光されたか否かに応じて、異なる信号（図中では、「装着信号」と表記する。）を出力する。装着センサ１５４は、例えば、受光部で受光された光の受光強度が閾値強度未満であることに応じて、ローレベル信号をコントローラ１３０へ出力する。一方、装着センサ１５４は、受光部で受光された光の受光強度が閾値強度以上であることに応じて、ローレベル信号より信号強度の高いハイレベル信号をコントローラ１３０へ出力する。
【００４７】
［液面センサ１５５］
液面センサ１５５は、後述するアクチュエータ１９０の被検出部１９４が検出位置に位置しているか否かを検出するためのセンサである。液面センサ１５５は、左右方向９に離間した発光部及び受光部を備える。換言すれば、液面センサ１５５の発光部及び受光部は、検出位置に位置した被検出部１９４を挟んで、互いに対向した状態で位置している。液面センサ１５５は、発光部から出力された光が受光部で受光されたか否かに応じて異なる信号（図中では、「液面信号」と表記する。）を出力する。液面センサ１５５は、例えば、受光部で受光された光の受光強度が閾値強度未満であることに応じて、ローレベル信号をコントローラ１３０へ出力する。一方、液面センサ１５５は、受光部で受光された光の受光強度が閾値強度以上であることに応じて、ローレベル信号より信号強度の高いハイレベル信号をコントローラ１３０へ出力する。ハイレベル信号は第１信号の一例であり、ローレベル信号は第２信号の一例である。
【００４８】
[ロックピン１５６]
ロックピン１５６は、装着ケース１５０の内部空間の上端で且つ開口８５付近において、左右方向９に沿って延びる棒状の部材である。ロックピン１５６の左右方向９の両端は、装着ケース１５０の一対の側壁に固定されている。ロックピン１５６は、４つのカートリッジ２００が収納可能な４つの空間に亘って左右方向９に延びている。ロックピン１５６は、装着ケース１５０に装着されたカートリッジ２００を、図５に示される装着位置に保持するためのものである。カートリッジ２００は、装着ケース１５０に装着された状態で、ロックピン１５６に係合される。
【００４９】
［タンク１６０］
プリンタ１０は、４つのカートリッジ２００それぞれに対応して、４つのタンク１６０を備える。タンク１６０は、装着ケース１５０の奥壁よりさらに後方に位置している。タンク１６０は、図３に示されるように、上壁１６１と、前壁１６２と、下壁１６３と、後壁１６４と、不図示の一対の側壁とで構成されている。なお、前壁１６２は、各々が前後方向８にずれた複数の壁によって構成される。タンク１６０の内部は、液室１７１が形成されている。液室１７１は、第２液室の一例である。
【００５０】
タンク１６０を構成する壁のうち、少なくとも液面センサ１５５に対面する壁は、透光性を有している。これにより、液面センサ１５５が出力した光は、液面センサ１５５に対面する壁を透過することができる。後壁１６４の少なくとも一部は、上壁１６１、下壁１６３、及び側壁の端面に溶着されるフィルムでもよい。また、タンク１６０の側壁は、装着ケース１５０と共通でもよいし、装着ケース１５０とは独立していてもよい。さらに、左右方向９に隣接するタンク１６０の間は、不図示の隔壁によって仕切られている。４つのタンク１６０の構成は、概ね共通する。
【００５１】
液室１７１は、流出口１７４を通じて不図示のインク流路に連通されている。流出口１７４の下端は、液室１７１の下端を画定する下壁１６３によって画定されている。流出口１７４は、ジョイント１８０（より詳細には、貫通孔１８４の下端）より上下方向７の下方に位置している。流出口１７４に連通された不図示のインク流路は、チューブ３２（図２参照）に連通されている。これにより、液室１７１は、流出口１７４からインク流路及びチューブ３２を通じて、ヘッド２１と連通する。つまり、液室１７１に貯留されたインクは、流出口１７４からインク流路及びチューブ３２を通じて、ヘッド２１へ供給される。流出口１７４に連通されたインク流路及びチューブ３２は、一端（流出口１７４）が液室１７１に連通され、且つ他端３３（図２参照）がヘッド２１に連通された第４流路の一例である。
【００５２】
液室１７１は、大気連通室１７５を通じて大気に連通されている。より詳細には、大気連通室１７５は、前壁１６２を貫通する貫通孔１７６を通じて液室１７１に連通されている。また、大気連通室１７５は、大気連通ポート１７７及び大気連通ポート１７７に接続された不図示のチューブを通じて、プリンタ１０の外部に連通されている。すなわち、大気連通室１７５は、一端（貫通孔１７６）が液室１７１に連通され、且つ他端（大気連通ポート１７７）がプリンタ１０の外部に連通された第５流路の一例である。なお、大気連通室１７５は、大気連通ポート１７７及び不図示のチューブを通じて、大気に連通している。
【００５３】
［ジョイント１８０］
ジョイント１８０は、図３に示されるように、ニードル１８１と、ガイド１８２とを備えている。ニードル１８１は、内部に流路が形成された管である。ニードル１８１は、液室１７１を画定する前壁１６２から前方へ突出している。ニードル１８１の突出先端には、開口１８３が形成されている。また、ニードル１８１の内部空間は、前壁１６２を貫通する貫通孔１８４を通じて液室１７１に連通されている。ニードル１８１は、一端（開口１８３）がタンク１６０の外部に連通され、且つ他端（貫通孔１８４）が液室１７１に連通された第３流路の一例である。ガイド１８２は、ニードル１８１の周囲に配置された円筒形状の部材である。ガイド１８２は、前壁１６２から前方に突出して、突出端が開口している。
【００５４】
ニードル１８１の内部空間には、バルブ１８５と、コイルバネ１８６とが位置している。バルブ１８５は、ニードル１８１の内部空間において、閉塞位置と開放位置との間を、前後方向８に沿って移動可能である。バルブ１８５は、閉塞位置に位置すると開口１８３を閉塞する。またバルブ１８５は、開放位置に位置すると開口１８３を開放する。コイルバネ１８６は、バルブ１８５を開放位置から閉塞位置に移動させる向き、すなわち前方に付勢している。
【００５５】
［アクチュエータ１９０］
液室１７１には、アクチュエータ１９０が位置している。アクチュエータ１９０は、液室１７１内に配置された不図示の支持部材によって、矢印１９８、１９９の向きに回動可能に支持されている。アクチュエータ１９０は、図３の実線で示される位置及び破線で示される位置の間を回動することができる。さらに、アクチュエータ１９０は、不図示のストッパ（例えば、液室１７１の内壁）によって、実線の位置より矢印１９８の向きへの回動が規制される。アクチュエータ１９０は、フロート１９１と、軸１９２と、アーム１９３と、被検出部１９４とを備える。
【００５６】
フロート１９１は、液室１７１に貯留されるインクより比重が小さい材料で形成されている。軸１９２は、フロート１９１の右面及び左面から左右方向９に突出している。軸１９２は、支持部材に形成された不図示の孔に挿入されている。これにより、アクチュエータ１９０は、軸１９２を中心として回動可能に支持部材によって支持される。アーム１９３は、フロート１９１から略上方へ延びている。被検出部１９４は、アーム１９３の突出先端部に位置している。被検出部１９４は、上下方向７及び前後方向８に延びる板状の部材である。被検出部１９４は、液面センサ１５５の発光部から出力された光を遮光する材料又は色で形成されている。
【００５７】
液室１７１内のインクの液面が所定位置Ｐ以上のとき、浮力によって矢印１９８の向きに回動されたアクチュエータ１９０は、ストッパによって図３の実線で示される検出位置に保持される。一方、インクの液面が所定位置Ｐ未満のとき、アクチュエータ１９０は、液面の降下に追従して矢印１９９の向きに回動される。これにより、被検出部１９４は、検出位置から外れた位置に移動する。すなわち、被検出部１９４は、液室１７１に貯留されたインクの量に対応する位置に移動する。
【００５８】
所定位置Ｐは、上下方向７において、ニードル１８１の軸中心と同じ高さであり、且つ後述するインク供給口２３４の中心と同じ高さである。しかしながら、所定位置Ｐは、上下方向７における流出口１７４より上方の位置であれば、前述の位置に限定されない。他の例として、所定位置Ｐは、ニードル１８１の内部空間の上端や下端の高さでもよいし、インク供給口２３４の上端や下端の高さでもよい。
【００５９】
液室１７１に貯留されたインクの液面が所定位置Ｐ以上のとき、液面センサ１５５の発光部から出力された光が被検出部１９４で遮られる。これにより、液面センサ１５５は、発光部からの光が受光部に到達しないので、ローレベル信号をコントローラ１３０へ出力する。一方、液室１７１に貯留されたインクの液面が所定位置Ｐ未満のとき、液面センサ１５５は、発光部から出力された光が受光部に到達するので、ハイレベル信号をコントローラ１３０へ出力する。すなわち、コントローラ１３０は、液室１７１内のインクの液面が所定位置Ｐ以上か否かを、液面センサ１５５から出力される信号によって検出することができる。
【００６０】
［カートリッジ２００］
カートリッジ２００は、液体の一例であるインクを内部に貯留可能な液室２１０（図２参照）を有する容器である。液室２１０は、例えば、樹脂製の壁によって画定されている。カートリッジ２００は、図４（Ａ）に示されるように、上下方向７及び前後方向８それぞれに沿った寸法が、左右方向９に沿った寸法よりも大きい扁平形状である。なお、異なる色のインクが貯留されるカートリッジ２００の外形形状は、同一でもよいし、異なっていてもよい。カートリッジ２００を構成する壁のうちの少なくとも一部は、透光性を有している。これにより、ユーザは、カートリッジ２００の液室２１０に貯留されたインクの液面をカートリッジ２００の外部から視認することができる。なお、上述した大容量カートリッジは、液室２１０の形状及び断面積が異なる他はカートリッジ２００と同様の構成を有するため、詳細な説明を省略する。
【００６１】
カートリッジ２００は、筐体２０１と、供給管２３０とを備える。筐体２０１は、後壁２０２と、前壁２０３と、上壁２０４と、下壁２０５と、一対の側壁２０６、２０７とで構成されている。なお、後壁２０２は、各々が前後方向８にずれた複数の壁によって構成されている。また、上壁２０４は、各々が上下方向７にずれた複数の壁によって構成されている。さらに、下壁２０５は、各々が上下方向７にずれた複数の壁によって構成されている。
【００６２】
カートリッジ２００の内部空間には、図４（Ｂ）に示されるように、液室２１０、インクバルブ室２１３、及び大気バルブ室２１４が形成されている。液室２１０は、上部液室２１１と、下部液室２１２とを有する。上部液室２１１、下部液室２１２、及び大気バルブ室２１４は、筐体２０１の内部空間である。一方、インクバルブ室２１３は、供給管２３０の内部空間である。液室２１０は、インクを貯留する。大気バルブ室２１４は、液室２１０とカートリッジ２００の外部とを連通させる。液室２１０は、第１液室の一例である。
【００６３】
液室２１０の上部液室２１１及び下部液室２１２は、筐体２０１の内部空間を仕切る隔壁２１５によって、上下方向７に隔てられている。そして、上部液室２１１及び下部液室２１２は、隔壁２１５に形成された貫通孔２１６によって連通されている。また、上部液室２１１及び大気バルブ室２１４は、筐体２０１の内部空間を仕切る隔壁２１７によって、上下方向７に隔てられている。そして、上部液室２１１及び大気バルブ室２１４は、隔壁２１７に形成された貫通孔２１８によって連通されている。さらに、インクバルブ室２１３は、貫通孔２１９を通じて下部液室２１２の下端に連通されている。
【００６４】
大気バルブ室２１４は、カートリッジ２００の上部において、後壁２０２に形成された大気連通口２２１を通じてカートリッジ２００の外部に連通されている。すなわち、大気バルブ室２１４は、一端（貫通孔２１８）が液室２１０（より詳細には、上部液室２１１）に連通され、且つ他端（大気連通口２２１）がカートリッジ２００の外部に連通された第２流路の一例である。なお、大気バルブ室２１４は、大気連通口２２１を通じて、大気に連通している。また、大気バルブ室２１４には、バルブ２２２と、コイルバネ２２３とが位置している。バルブ２２２は、閉塞位置と開放位置との間を、前後方向８に沿って移動可能である。バルブ２２２は、閉塞位置に位置すると、大気連通口２２１を閉塞する。また、バルブ２２２は、開放位置に位置すると大気連通口２２１を開放する。コイルバネ２２３は、バルブ２２２を開放位置から閉塞位置に移動させる向き、すなわち後方に付勢している。
【００６５】
カートリッジ２００が装着ケース１５０に装着される過程において、ロッド１５３が大気連通口２２１を通じて大気バルブ室２１４内に進入する。大気バルブ室２１４内に進入したロッド１５３は、閉塞位置のバルブ２２２をコイルバネ２２３の付勢力に抗して前方に移動させる。そして、バルブ２２２が開放位置に移動することによって、上部液室２１１が大気に連通される。なお、大気連通口２２１を開放するための構成は、前述の例に限定されない。他の例として、大気連通口２２１を封止するフィルムをロッド１５３が突き破る構成でもよい。
【００６６】
供給管２３０は、筐体２０１の下部において、後壁２０２から後方に突出している。供給管２３０は、その突出端（すなわち、後端）が開口されている。すなわち、インクバルブ室２１３は、貫通孔２１９を通じて連通された液室２１０と、カートリッジ２００の外部とを連通させる。インクバルブ室２１３は、一端（貫通孔２１９）が液室２１０（より詳細には下部液室２１２）と連通され、且つ他端（後述するインク供給口２３４）がカートリッジ２００の外部と連通された第１流路の一例である。また、インクバルブ室２１３には、パッキン２３１と、バルブ２３２と、コイルバネ２３３とが位置している。
【００６７】
パッキン２３１の中央には、前後方向８に貫通したインク供給口２３４が形成されている。インク供給口２３４の内径は、ニードル１８１の外径より僅かに小さい。バルブ２３２は、閉塞位置と開放位置との間を、前後方向８に沿って移動可能である。バルブ２３２は、閉塞位置に位置すると、パッキン２３１と当接してインク供給口２３４を閉塞する。また、バルブ２３２は、開放位置に位置すると、パッキン２３１から離間してインク供給口２３４を開放する。コイルバネ２３３は、バルブ２３２を開放位置から閉塞位置に移動させる向き、すなわち後方に付勢している。また、コイルバネ２３３の付勢力は、コイルバネ１８６より大きい。
【００６８】
カートリッジ２００が装着ケース１５０に装着される過程において、供給管２３０がガイド１８２内に進入し、やがてニードル１８１がインク供給口２３４を通じてインクバルブ室２１３に進入する。このとき、ニードル１８１は、パッキン２３１を弾性変形させつつ、インク供給口２３４を画定する内周面に液密に接触する。カートリッジ２００が装着ケース１５０へさらに挿入されると、ニードル１８１は、バルブ２３２をコイルバネ２３３の付勢力に抗して前方に移動させる。また、バルブ２３２は、ニードル１８１の開口１８３から突出するバルブ１８５を、コイルバネ１８６の付勢力に抗して後方に移動させる。
【００６９】
これにより、図５に示されるように、インク供給口２３４及び開口１８３が開放されて、供給管２３０のインクバルブ室２１３と、ニードル１８１の内部空間とが連通される。すなわち、装着ケース１５０にカートリッジ２００が装着された状態において、インクバルブ室２１３及びニードル１８１の内部空間は、カートリッジ２００の液室２１０とタンク１６０の液室１７１とを連通させる流路を構成する。
【００７０】
また、装着ケース１５０にカートリッジ２００が装着された状態において、液室２１０の一部と、液室１７１の一部とは、水平方向から見て互いに重なる。その結果、液室２１０に貯留されたインクは、接続された供給管２３０及びジョイント１８０を通じて、水頭差によってタンク１６０の液室１７１に移動する。
【００７１】
図４に示されるように、上壁２０４には、突起２４１が形成されている。突起２４１は、上壁２０４の外面から上方に突出し且つ前後方向８に沿って延びている。突起２４１は、ロック面２４２と、傾斜面２４３とを有する。ロック面２４２及び傾斜面２４３は、上壁２０４より上方に位置している。ロック面２４２は、前後方向８の前方を向き且つ上下方向７及び左右方向９に延びている（すなわち、上壁２０４と概ね直交する）。傾斜面２４３は、上方及び後方を向くように、上壁２０４に対して傾斜している。
【００７２】
ロック面２４２は、装着ケース１５０にカートリッジ２００が装着された状態において、ロックピン１５６に当接される面である。傾斜面２４３は、カートリッジ２００が装着ケース１５０に装着される過程において、ロックピン１５６をロック面２４２と当接する位置まで案内する面である。ロック面２４２とロックピン１５６とが当接した状態では、コイルバネ１８６、２２３、２３３の付勢力に抗して、カートリッジ２００が図５に示される装着位置に保持される。
【００７３】
ロック面２４２より前方において上壁２０４から上方へと延びるようにして、平板状の部材が形成されている。この平板状の部材の上面は、カートリッジ２００を装着ケース１５０から抜去する際に、ユーザが操作する操作部２４４である。カートリッジ２００が装着ケース１５０に装着された状態で且つカバー８７が露出位置に位置しているとき、操作部２４４は、ユーザに操作可能となる。操作部２４４が下方へ押されると、カートリッジ２００が回動することによって、ロック面２４２がロックピン１５６より下方へ移動する。その結果、カートリッジ２００が装着ケース１５０から抜去することが可能となる。
【００７４】
上壁２０４の外面で且つ突起２４１より後方には、遮光リブ２４５が形成されている。遮光リブ２４５は、上壁２０４の外面から上方に突出し且つ前後方向８に沿って延びている。遮光リブ２４５は、装着センサ１５４の発光部から出力される光を遮光する材料又は色で形成されている。遮光リブ２４５は、装着ケース１５０にカートリッジ２００が装着された状態において、装着センサ１５４の発光部から受光部に至る光路上に位置する。すなわち、装着センサ１５４は、装着ケース１５０にカートリッジ２００が装着されていることに応じて、ローレベル信号をコントローラ１３０に出力する。一方、装着センサ１５４は、装着ケース１５０にカートリッジ２００が装着されていないことに応じて、ハイレベル信号をコントローラ１３０に出力する。すなわち、コントローラ１３０は、装着ケース１５０にカートリッジ２００が装着されているか否かを、装着センサ１５４から出力される信号によって検出することができる。
【００７５】
上壁２０４の外面で且つ前後方向８における遮光リブ２４５及び突起２４１の間には、ＩＣ基板２４７が位置している。ＩＣ基板２４７には、電極２４８が形成されている。また、ＩＣ基板２４７は、不図示のメモリを備える。電極２４８は、ＩＣ基板２４７の上記メモリと電気的に接続されている。電極２４８は、ＩＣ基板２４７の上面において、接点１５２と導通可能に露出されている。すなわち、カートリッジ２００が装着ケース１５０に装着された状態において、電極２４８は、接点１５２と電気的に導通する。コントローラ１３０は、接点１５２及び電極２４８を通じてＩＣ基板２４７のメモリから情報を読み出し、接点１５２及び電極２４８を通じてＩＣ基板２４７のメモリに情報を書き込むことができる。
【００７６】
ＩＣ基板２４７のメモリは、インク量Ｖｃと、カートリッジ２００の個体を識別するための識別情報と、カートリッジ２００の種類を示す種類情報などを記憶する。本実施形態では、装着ケース１５０に標準のカートリッジ２００と大容量のカートリッジの、２種類のカートリッジ２００が装着可能であり、ＩＣ基板２４７のメモリに記憶された種類情報は、当該カートリッジが「標準」と「大容量」のいずれであるかを示す。なお、カートリッジ２００が新品であるＩＣ基板２４７のメモリには、インク量Ｖｃとして初期インク量Ｖｃ０が記憶されている。この初期インク量Ｖｃ０は、カートリッジ２００に貯留可能なインクの最大量を示す最大貯留可能量の一例である。換言すれば、初期インク量Ｖｃ０は、新品のカートリッジ２００に貯留されているインクの量を示す。以下、ＩＣ基板２４７のメモリに記憶されている情報を総称して、「ＣＴＧ情報」又は「カートリッジ情報」と表記することがある。また、「新品」とは、いわゆる未使用品であり、製造されて販売されているカートリッジ２００から、カートリッジ２００内のインクが一度も外部へ流出していない状態を示す。ＩＣ基板２４７のメモリは、カートリッジメモリの一例である。
【００７７】
ＩＣ基板２４７のメモリの記憶領域は、例えば、コントローラ１３０によって情報が上書きされない領域と、コントローラ１３０によって情報が上書き可能な領域とを有する。例えば、識別情報及び種類情報は上書きされない領域に記憶され、インク量Ｖｃは上書き可能な領域に記憶される。
【００７８】
［コントローラ１３０］
コントローラ１３０は、図６に示されるように、ＣＰＵ１３１、ＲＯＭ１３２、ＲＡＭ１３３、ＥＥＰＲＯＭ１３４、及びＡＳＩＣ１３５を備えている。ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定情報が格納される。ＲＯＭ１３２、ＲＡＭ１３３、及びＥＥＰＲＯＭ１３４は、メモリの一例である。
【００７９】
ＡＳＩＣ１３５は、給送ローラ２３、搬送ローラ２５、排出ローラ２７、及びヘッド２１を動作させるためのものである。コントローラ１３０は、ＡＳＩＣ１３５を通じて不図示のモータを駆動させることによって、給送ローラ２３、搬送ローラ２５、及び排出ローラ２７を回転させる。また、コントローラ１３０は、ＡＳＩＣ１３５を通じてヘッド２１の駆動素子に駆動信号を出力することによって、ヘッド２１にノズル２９を通じてインクを吐出させる。ＡＳＩＣ１３５は、ノズル２９を通じて吐出すべきインクの量に応じて、複数種類の駆動信号を出力可能である。
【００８０】
また、ＡＳＩＣ１３５には、ディスプレイ１７と、操作パネル２２とが接続されている。ディスプレイ１７は、液晶ディスプレイ、有機ＥＬディスプレイ等であり、各種情報を表示する表示面を備える。ディスプレイ１７は、報知機の一例である。但し、報知機の具体例はディスプレイ１７に限定されず、スピーカ、ＬＥＤランプ、或いはこれらの組み合わせでもよい。操作パネル２２は、ユーザによる操作に応じた操作信号をコントローラ１３０に出力する。操作パネル２２は、例えば、押ボタンを有していてもよいし、ディスプレイ１７に重畳されたタッチセンサを有していてもよい。
【００８１】
さらに、ＡＳＩＣ１３５には、接点１５２と、カバーセンサ８８と、装着センサ１５４と、液面センサ１５５とが電気的に接続されている。コントローラ１３０は、装着ケース１５０に装着されたカートリッジ２００のＩＣ基板２４７のメモリに、接点１５２を通じてアクセスする。コントローラ１３０は、カバー８７の位置をカバーセンサ８８を通じて検出する。また、コントローラ１３０は、カートリッジ２００の挿抜を装着センサ１５４を通じて検出する。さらに、コントローラ１３０は、液室１７１内のインクの液面が所定位置Ｐ以上か否かを液面センサ１５５を通じて検出する。
【００８２】
ＲＯＭ１３２には、液面センサ１５５がハイレベル信号を出力したときに、タンク１６０の液室１７１に貯留されている所定インク量Ｖｓｃ、及びカートリッジ２００の液室２１０に貯留されている所定インク量Ｖｃｃが記憶されている。所定インク量Ｖｃｃは、本実施形態ではゼロである。また、ＲＯＭ１３２には、所定値Ａ１及びＡ２が記憶されている。所定値Ａ１及びＡ２は、タンク１６０の液室１７０のインクの液面が、流出口１７４の上端よりも上方に位置し、且つ、所定位置Ｐよりも下方に位置するときの、カウント値ＳＮ１の値に対応する値である。所定値Ａ２は、所定値Ａ１よりも大きい。所定値Ａ１は、第１所定値及び第３所定値の一例である。所定値Ａ２は、第２所定値及び第４所定値の一例である。
【００８３】
ＥＥＰＲＯＭ１３４は、装着ケース１５０に装着される４つのカートリッジ２００それぞれに対応付けて、換言すれば、カートリッジ２００と連通されるタンク１６０それぞれに対応付けて、各種情報を記憶している。各種情報とは、例えば、液体量の一例であるインク量Ｖｃ、Ｖｓと、関数Ｆと、Ｃ＿Ｅｍｐｔｙフラグと、Ｓ＿Ｅｍｐｔｙフラグと、仮解除フラグと、禁止フラグと、カウント値ＳＮ１と、カウント値ＳＮ２と、カウント値ＴＮと、閾値Ｎｔ１と、閾値Ｎｔ２と、閾値Ｖｍｉｎと、待機時間Ｔｗと、を含む。閾値Ｎｔ２は、第１閾値の一例である。閾値Ｖｍｉｎは、第２閾値の一例である。
【００８４】
なお、インク量Ｖｃ及び識別情報は、カートリッジ２００が装着ケース１５０に装着された状態で、接点１５２を通じてＩＣ基板２４７のメモリからコントローラ１３０によって読み出される情報である。関数Ｆは、ＥＥＰＲＯＭ１３４に代えて、ＲＯＭ１３２に記憶されていてもよい。
【００８５】
インク量Ｖｃは、カートリッジ２００の液室２１０に貯留されているインクの量を示す。インク量Ｖｓは、タンク１６０の液室１７１に貯留されているインクの量を示す。インク量Ｖｃ、Ｖｓは、例えば、関数Ｆによって算出される。関数Ｆは、インクの総量Ｖｔと、インク量Ｖｃと、インク量Ｖｃとの対応関係を示す情報である。カートリッジ２００の液室２１０内のインクと、タンク１６０の液室１７１内のインクとは、それぞれのインクの液面の上下方向７の位置が一致した状態で平衡になる。つまり、液室２１０と液室１７１との間でのインクの移動が停止する。例えば、インクの総量Ｖｔとインク量Ｖｓとの関係は、関数Ｆで近似することができる。したがって、インクの総量Ｖｔが算出されると、インク量Ｖｓ及びインク量Ｖｃが求められる。なお、インク量Ｖｓ及びインク量Ｖｃは、関数Ｆの形式に限定されず、総量Ｖｔ毎に対応づけられたテーブルによって求められてもよい。
【００８６】
カウント値ＳＮ１は、液面センサ１５５から出力される信号がローレベル信号からハイレベル信号に変化した後に、ヘッド２１に排出を指示したインク排出量Ｄｈ（すなわち、駆動信号で示されるインク量）に相当する値で、閾値Ｎｔ１に近づく向きに更新される値である。カウント値ＳＮ１は、初期値を“０”としてカウントアップされる値である。また、閾値Ｎｔ１は、流出口１７４の上端付近と所定位置Ｐとの間の液室１７１の容積に相当する。但し、カウント値ＳＮ１は、容積に相当する値を初期値として、カウントダウンされる値でもよい。この場合の閾値Ｎｔ１は、０となる。カウント値ＳＮ１は、第１値及び第１カウント値の一例である。
【００８７】
カウント値ＳＮ２は、仮解除状態であるとき、すなわち、Ｃ＿Ｅｍｐｔｙフラグが“ＯＦＦ”であり、且つ液面センサ１５５から出力される信号がハイレベル信号であるときに、ヘッド２１に排出を指示したインク排出量Ｄｈ（すなわち、駆動信号で示されるインク量）に相当する値で、閾値Ｎｔ１に近づく向きに更新される値である。カウント値ＳＮ２は、初期値を“０”としてカウントアップされる値である。但し、カウント値ＳＮ２は、当該積に対応する値を初期値として、カウントダウンされる値でもよい。
【００８８】
カウント値ＴＮは、装着センサ１５４から出力される信号がハイレベル信号からローレベル信号に変化した後に、ヘッド２１に排出を指示したインク排出量Ｄｈ（すなわち、駆動信号で示されるインク量）に相当する値であり、初期値を“０”としてカウントアップされる値である。また、カウント値ＴＮは、初期値をインクの総量Ｖｔに相当する値として、カウントダウンされる値でもよい。
【００８９】
Ｃ＿Ｅｍｐｔｙフラグは、カートリッジ２００がカートリッジエンプティ状態か否かを示す情報である。Ｃ＿Ｅｍｐｔｙフラグには、カートリッジエンプティ状態であることに対応する値“ＯＮ”、或いはカートリッジエンプティ状態でないことに対応する値“ＯＦＦ”が設定される。カートリッジエンプティ状態とは、カートリッジ２００（より詳細には、液室２１０）にインクが実質的に貯留されていない状態である。換言すれば、カートリッジエンプティ状態とは、連通された液室２１０から液室１７１にインクが移動しない状態である。さらに換言すれば、カートリッジエンプティ状態とは、当該カートリッジ２００に連通されたタンク１６０の液面が所定位置Ｐ未満の状態である。
【００９０】
Ｓ＿Ｅｍｐｔｙフラグは、タンク１６０がインクエンプティ状態か否かを示す情報である。Ｓ＿Ｅｍｐｔｙフラグには、インクエンプティ状態であることに対応する値“ＯＮ”、或いはインクエンプティ状態でないことに対応する値“ＯＦＦ”が設定される。インクエンプティ状態とは、例えば、タンク１６０（より詳細には、液室１７１）に貯留されたインクの液面が流出口１７４の上端付近の位置に達した状態である。換言すれば、インクエンプティ状態とは、カウント値ＳＮ１が閾値Ｎｔ１以上の状態である。インクエンプティ状態になった後にヘッド２１によるインクの吐出を継続すると、タンク１６０内のインクの液面が流出口１７４の上端よりも下がってしまい、タンク１６０からヘッド２１までのインク流路又はヘッド２１内に空気が混入してしまう（所謂、エアイン）可能性がある。その結果、ノズル２９内がインクで満たされず、インクの不吐出が発生するおそれがある。
【００９１】
仮解除フラグは、カートリッジ２００が交換されて、Ｃ＿Ｅｍｐｔｙフラグ及びＳ＿Ｅｍｐｔｙフラグが共に“ＯＦＦ”にされた後、液面センサ１５５が出力する信号がハイレベル信号から変化していない状態か否かを示す情報である。仮解除フラグには、液面センサ１５５が出力する信号がハイレベル信号のままの状態であることに対応する値“ＯＮ”、或いはローレベル信号に変化した状態であることに対応する値“ＯＦＦ”が設定される。仮解除の状態、液面センサ１５５が出力する信号がハイレベル信号のままの状態のままヘッド２１によるインクの吐出が継続すると、前述されたエアインが生ずる可能性がある。
【００９２】
禁止フラグは、カートリッジ２００が交換され、カウント値ＳＮ１が閾値Ｎｔ２に達していると判定された後、液面センサ１５５が出力する信号がハイレベル信号から変化していない状態か否かを示す情報である。禁止フラグには、液面センサ１５５が出力する信号がハイレベル信号のままの状態であることに対応する値“ＯＮ”、或いはローレベル信号に変化した状態であることに対応する値“ＯＦＦ”が設定される。
【００９３】
［プリンタ１０の動作］
図７〜図１３を参照して、本実施形態に係るプリンタ１０の動作を説明する。図７〜図１０に示される各処理は、コントローラ１３０のＣＰＵ１３１によって実行される。なお、以下の各処理は、ＲＯＭ１３２に記憶されているプログラムをＣＰＵ１３１が読み出して実行してもよいし、コントローラ１３０に搭載されたハードウェア回路によって実現されてもよい。また、以下の各処理の実行順序は、本発明の要旨を変更しない範囲で、適宜変更することができる。
【００９４】
［画像記録処理］
コントローラ１３０は、プリンタ１０に記録指示が入力されたことに応じて、図７に示される画像記録処理を実行する。記録指示は、画像データで示される画像をシートに記録する記録処理をプリンタ１０に実行させるための排出指示の一例である。記録指示の取得方法は特に限定されないが、例えば、記録指示に対応するユーザ操作を操作パネル２２を通じて受け付けてもよいし、不図示の通信インタフェースを通じて外部装置から受信してもよい。
【００９５】
まず、コントローラ１３０は、４つのカートリッジ２００それぞれのＳ＿Ｅｍｐｔｙフラグの設定値を判定する（Ｓ１１）。そして、コントローラ１３０は、４つのカートリッジ２００それぞれのＳ＿Ｅｍｐｔｙフラグの少なくとも１つに“ＯＮ”が設定されていると判定したことに応じて（Ｓ１１：ＯＮ）、後述される処理（図１１参照）を実行する。
【００９６】
コントローラ１３０は、すべてのカートリッジ２００にそれぞれ対応するすべてのＳ＿Ｅｍｐｔｙフラグが“ＯＮ”でなければ、すなわち全て“ＯＦＦ”であれば（Ｓ１１：ＯＦＦ）、４つのカートリッジ２００それぞれのＣ＿Ｅｍｐｔｙフラグの設定値を判定する（Ｓ１２）。そして、コントローラ１３０は、４つのＣ＿Ｅｍｐｔｙフラグの少なくとも１つに“ＯＮ”が設定されていると判断したことに応じて（Ｓ１２：ＯＮ）、Ｃ＿Ｅｍｐｔｙ報知画面をディスプレイ１７に表示させる（Ｓ１３）。Ｃ＿Ｅｍｐｔｙ報知画面は、“ＯＮ”が設定されたＣ＿Ｅｍｐｔｙフラグに対応するカートリッジ２００がカートリッジエンプティ状態になったことを、ユーザに報知するための画面である。Ｃ＿Ｅｍｐｔｙ報知画面は、例えば、カートリッジエンプティ状態のカートリッジ２００に貯留されているインクの色及びインク量Ｖｃ、Ｖｓを示す情報を含んでもよい。Ｓ１３にてＳ＿Ｅｍｐｔｙ報知画面をディスプレイ１７に表示させることは、報知機に第１報知を行わせることの一例である。
【００９７】
図１２（Ａ）に、Ｃ＿Ｅｍｐｔｙ報知画面の例を示す。図示例のＣ＿Ｅｍｐｔｙ報知画面は、オブジェクト２５１と、オブジェクト２５２と、オブジェクト２５３と、オブジェクト２５４を有する。オブジェクト２５１は、カートリッジ２００の交換を促す旨を示し、「インクカートリッジを交換してください」との文字列を有する。オブジェクト２５２は、交換の対象となるカートリッジ２００の種類を示し、図示例では、マゼンタを示す「Ｍ」の文字を有する。オブジェクト２５３は、空の状態のカートリッジ２００を示す。オブジェクト２５４は、「本体内のインクで引き続き印刷できます」との文字列を有し、継続して印刷を行えることをユーザに認識させる。
【００９８】
コントローラ１３０は、“ＯＮ”が設定されたＣ＿Ｅｍｐｔｙフラグに対応するカートリッジ２００それぞれに対して、Ｓ１４〜Ｓ１６の処理を実行する。すなわち、Ｓ１４〜Ｓ１６の処理は、４つのカートリッジ２００のうち、対応するＣ＿Ｅｍｐｔｙに“ＯＮ”が設定されたカートリッジ２００それぞれに対して実行される。カートリッジ２００毎のＳ１４〜Ｓ１６の処理は共通するので、１つのカートリッジ２００に対応するＳ１４〜Ｓ１６の処理のみを説明する。
【００９９】
まず、コントローラ１３０は、装着センサ１５４から受信した信号がローレベル信号からハイレベル信号に変化したかを判定する（Ｓ１４）。コントローラ１３０は、装着センサ１５４から受信した信号がローレベル信号からハイレベル信号に変化したと判定したことに応じて（Ｓ１４：Ｙｅｓ）、その後に、装着センサ１５４が出力する信号が、再びハイレベル信号からローレベル信号に変化するまで、所定の時間間隔でＳ１５の処理を繰り返し実行する（Ｓ１５：Ｎｏ）。換言すれば、コントローラ１３０は、カートリッジ２００が装着ケース１５０から抜き出された後、新たにカートリッジ２００が装着ケース１５０に装着されるまで、Ｓ１５の処理を繰り返し実行する。
【０１００】
そして、コントローラ１３０は、装着センサ１５４からハイレベル信号を受信した後にローレベル信号を受信したことに応じて（Ｓ１５：Ｙｅｓ）、コントローラ１３０は、現在の時刻を経過時間Ｔ１の開始時刻としてＲＡＭ１３３に記憶させて、経過時間Ｔ１の計測を開始する（Ｓ１６）。
【０１０１】
続いて、コントローラ１３０は、Ｅｍｐｔｙ仮解除処理（Ｓ１７）を実行する。Ｅｍｐｔｙ仮解除処理は、ディスプレイ１７に表示されたＣ＿Ｅｍｐｔｙ報知画面を消去する処理である。Ｅｍｐｔｙ仮解除処理の詳細は、図９を参照して後述する。そして、コントローラ１３０は、Ｅｍｐｔｙ仮解除処理が終了したことに応じて、Ｓ１１以降の処理を再び実行する。
【０１０２】
コントローラ１３０は、すべてのカートリッジ２００にそれぞれ対応するすべてのＣ＿Ｅｍｐｔｙフラグが“ＯＮ”でなければ、すなわち全て“ＯＦＦ”であれば（Ｓ１２：ＯＦＦ）、シアン、マゼンタ、イエローのカートリッジ２００それぞれの禁止フラグの設定値を判定する（Ｓ１８）。
【０１０３】
コントローラ１３０は、シアン、マゼンタ、イエローのカートリッジ２００それぞれの禁止フラグの少なくとも１つに“ＯＮ”が設定されていると判定したことに応じて（Ｓ１８：ＯＮ）、プリンタ１０が受け付けた記録指示がモノクロ印刷指示であるか、又は、カラー印刷指示であるかを判定する（Ｓ１９）。モノクロ印刷指示は、ヘッド２１を通じてブラックのインクを排出させてシートに画像を記録させる指示である。カラー印刷指示は、ヘッド２１を通じてシアン、マゼンタ、イエローのインクを排出させてシートに画像を記録させる指示である。コントローラ１３０は、プリンタ１０が受け付けた記録指示がカラー印刷指示であると判定したことに応じて（Ｓ１９；Ｙｅｓ）、Ｓ１７以降の処理を実行せず、Ｓ１１以降の処理を再び実行する。
【０１０４】
コントローラ１３０は、シアン、マゼンタ、イエローのカートリッジ２００にそれぞれ対応する全ての禁止フラグが“ＯＦＦ”であると判定したことに応じて（Ｓ１８：ＯＦＦ）、又は、記録指示がモノクロ印刷指示であると判定したことに応じて（Ｓ１９：Ｎｏ）、ブラックのカートリッジ２００に対応する禁止フラグの設定値を判定する（Ｓ２０）。コントローラ１３０は、ブラックのカートリッジ２００に対応する禁止フラグの設定値が“ＯＮ”であると判定したことに応じて（Ｓ２０：ＯＮ）、Ｓ１７以降の処理を実行せず、Ｓ１１以降の処理を再び実行する。
【０１０５】
コントローラ１３０は、ブラックのカートリッジ２００に対応する禁止フラグの設定値が“ＯＦＦ”であると判定したことに応じて（Ｓ２０：ＯＦＦ）、印刷中画面をディスプレイ１７に表示させる（Ｓ２１）。印刷中画面は、シートへの画像の記録が行われていることをユーザに報知するための画面である。Ｓ２１にて印刷中画面をディスプレイ１７に表示させることは、報知機に第３報知を行わせることの一例である。
【０１０６】
図１２（Ｂ）に、印刷中画面の例を示す。図示例の印刷中画面は、オブジェクト２５５を有する。オブジェクト２５５は、記録処理の進行の度合いを示すバーグラフである。
【０１０７】
次に、コントローラ１３０は、現時点で４つの液面センサ１５５それぞれから出力されている信号を受信する（Ｓ２２）。さらにＳ２２において、コントローラ１３０は、液面センサ１５５から受信した信号がハイレベル信号及びローレベル信号のどちらかを示す情報を、ＲＡＭ１３３に記憶させる（Ｓ２２）。
【０１０８】
そして、コントローラ１３０は、記録指示に含まれる画像データで示される画像を１つのシートに記録する（Ｓ２３）。より詳細には、コントローラ１３０は、給送トレイ１５上のシートを給送ローラ２３及び搬送ローラ２５に搬送させ、ヘッド２１にインクを吐出させ、画像が記録されたシートを排出ローラ２７に排出トレイ１６へ排出させる。
【０１０９】
すなわち、コントローラ１３０は、４つのＳ＿Ｅｍｐｔｙフラグの全てに“ＯＦＦ”が設定されているときに（Ｓ１１：ＯＦＦ）、Ｓ２３の処理を実行する。つまり、ヘッド２１を通じたインクの排出を許可する。一方、コントローラ１３０は、４つのＳ＿Ｅｍｐｔｙフラグの少なくとも１つに“ＯＮ”が設定されているときには（Ｓ１１：ＯＮ）、Ｓ２３の処理を実行しない。つまり、４つのタンク１６０全てについてヘッド２１を通じたインクの排出を禁止する。
【０１１０】
また、コントローラ１３０は、４つの禁止フラグの全てに“ＯＦＦ”が設定されているときに（Ｓ１８：ＯＦＦ＆Ｓ２０：ＯＦＦ）、Ｓ２３の処理を実行する。つまり、ヘッド２１を通じたインクの排出を許可する。また、コントローラ１３０は、シアン、マゼンタ、イエローのカートリッジ２００それぞれの禁止フラグの少なくとも１つに“ＯＮ”が設定されているときであっても（Ｓ１８：ＯＮ）、記録指示がモノクロ印刷指示であり（Ｓ１９：Ｎｏ）、且つ、ブラックのカートリッジ２００に対応する禁止フラグの設定値が“ＯＦＦ”であるときには（Ｓ２０：ＯＦＦ）、Ｓ２３の処理を実行する。つまり、ヘッド２１を通じたインクの排出を許可する。
【０１１１】
一方、コントローラ１３０は、シアン、マゼンタ、イエローのカートリッジ２００それぞれの禁止フラグの少なくとも１つに“ＯＮ”が設定されており（Ｓ１８：ＯＮ）、記録指示がカラー印刷指示であるときには（Ｓ１９：Ｎｏ）、Ｓ２３の処理を実行しない。つまり、４つのタンク１６０全てについてヘッド２１を通じたインクの排出を禁止する。また、コントローラ１３０は、ブラックのカートリッジ２００に対応する禁止フラグの設定値が“ＯＮ”であるときには（Ｓ２０：ＯＮ）、Ｓ２３の処理を実行しない。つまり、４つのタンク１６０全てについてヘッド２１を通じたインクの排出を禁止する。
【０１１２】
次に、コントローラ１３０は、記録指示に従って１つのシートに画像を記録したことに応じて、現時点で４つの液面センサ１５５それぞれから出力されている信号を受信する（Ｓ２４）。さらに、Ｓ２２と同様に、コントローラ１３０は、液面センサ１５５から受信した信号がハイレベル信号及びローレベル信号のどちらかを示す情報を、ＲＡＭ１３３に記憶させる（Ｓ２４）。そして、コントローラ１３０は、ＥＥＰＲＯＭ１３４に記憶されている仮解除フラグ及び禁止フラグについて判定する（Ｓ２５）。コントローラ１３０は、仮解除フラグ及び禁止フラグが“ＯＮ”でなければ（Ｓ２５：Ｎｏ）、カウント処理を実行する（Ｓ２６）。カウント処理は、Ｓ２２、Ｓ２４で液面センサ１５５から受信した信号に基づいて、カウント値ＴＮ、ＳＮ１、ＳＮ２、Ｃ＿Ｅｍｐｔｙフラグ、及びＳ＿Ｅｍｐｔｙフラグを更新する処理である。カウント処理の詳細は、図８を参照して後述する。
【０１１３】
また、コントローラ１３０は、仮解除フラグ又は禁止フラグが“ＯＮ”であれば（Ｓ２５：Ｙｅｓ）、Ｅｍｐｔｙ正式解除処理を実行する（Ｓ２７）。Ｅｍｐｔｙ正式解除処理の詳細は、図１０を参照して後述する。
【０１１４】
次に、コントローラ１３０は、記録指示で示された全ての画像をシートに記録し、次ページが無い状態となるまで（Ｓ２８：Ｙｅｓ）、Ｓ１１〜Ｓ２８の処理を繰り返し実行する。そして、コントローラ１３０は、記録指示で示される全ての画像をシートに記録し、次ページが無い状態となったことに応じて（Ｓ２８：Ｎｏ）、４つのＳ＿Ｅｍｐｔｙフラグそれぞれの設定値及び４つのＣ＿Ｅｍｐｔｙフラグそれぞれの設定値を判定する（Ｓ２９、Ｓ３０）。
【０１１５】
コントローラ１３０は、４つのＳ＿Ｅｍｐｔｙフラグの少なくとも１つに“ＯＮ”が設定されていることに応じて（Ｓ２９：ＯＮ）、Ｓ＿Ｅｍｐｔｙ報知画面をディスプレイ１７に表示させる（Ｓ３１）。また、コントローラ１３０は、４つのＳ＿Ｅｍｐｔｙフラグの全てに“ＯＦＦ”が設定されており、且つ４つのＣ＿Ｅｍｐｔｙフラグの少なくとも１つに“ＯＮ”が設定されていることに応じて（Ｓ２９：ＯＦＦ＆Ｓ３０：ＯＮ）、Ｃ＿Ｅｍｐｔｙ報知画面をディスプレイ１７に表示させる（Ｓ３２）。Ｓ３２で表示されるＣ＿Ｅｍｐｔｙ報知画面は、Ｓ１３と同様であってもよい。
【０１１６】
一方、コントローラ１３０は、４つのＳ＿Ｅｍｐｔｙフラグ及び４つのＣ＿Ｅｍｐｔｙフラグの全てに“ＯＦＦ”が設定されていることに応じて（Ｓ３０：ＯＦＦ）、Ｓ３１、Ｓ３２の処理を実行せずに、画像記録処理を終了する。
【０１１７】
Ｓ＿Ｅｍｐｔｙ報知画面は、対応するタンク１６０がインクエンプティ状態になって、ヘッド２１を通じたインクの排出ができないことを、ユーザに報知するための画面である。Ｓ＿Ｅｍｐｔｙ報知画面は、例えば、インクエンプティ状態のタンク１６０に貯留されているインクの色及びインク量Ｖｃ、Ｖｓを示す情報を含んでもよい。
【０１１８】
なお、排出指示の具体例は記録指示に限定されず、パージなどのノズル２９のメンテナンスを指示するメンテナンス指示等であってもよい。コントローラ１３０は、例えば操作パネル２２を通じてメンテナンス指示を取得したことに応じて、図７と同様の処理を実行する。メンテナンス指示を取得した場合の前述の処理との相違点は、以下の通りである。まず、コントローラ１３０は、Ｓ２３において、不図示のメンテナンス機構を駆動させて、ノズル２９を通じてインクを排出させる。また、コントローラ１３０は、カウント処理を実行した後にＳ２８の処理を実行することなく、Ｓ２９以降の処理を実行する。
【０１１９】
［カウント処理］
次に図８を参照して、Ｓ２６でコントローラ１３０が実行するカウント処理の詳細を説明する。なお、コントローラ１３０は、４つのカートリッジ２００のそれぞれに対して、カウント処理を独立して実行する。カートリッジ２００毎のカウント処理は共通するので、１つのカートリッジ２００に対応するカウント処理のみを説明する。
【０１２０】
まず、コントローラ１３０は、Ｓ２２、Ｓ２４でＲＡＭ１３３に記憶させた液面センサ１５５の信号を示す情報を比較する（Ｓ３６）。すなわち、コントローラ１３０は、カウント処理（Ｓ２６）を実行する直前のＳ２３の処理を実行する前と後とで、４つの液面センサ１５５それぞれの信号が変化したか否かを判定する。
【０１２１】
コントローラ１３０は、Ｓ２２、Ｓ２４でＲＡＭ１３３に記憶させた情報が共にローレベル信号を示す（すなわち、Ｓ２３の処理の前後で液面センサ１５５の信号出力が変化していない）ことに応じて（Ｓ３６：Ｌ→Ｌ）、カウント値ＴＮを更新する（Ｓ３７）。すなわち、コントローラ１３０は、直前のＳ２３で排出を指示したインク量に相当する値で、カウント値ＴＮをカウントアップする。
【０１２２】
また、コントローラ１３０は、現在の総量Ｖｔを算出する（Ｓ３８）。まず、コントローラ１３０は、カートリッジ交換後にＥＥＰＲＯＭ１３４に記憶されたインク量Ｖｃ及びインク量Ｖｓの和であるカートリッジ交換後の総量Ｖｔを算出する。そして、コントローラ１３０は、算出した総量Ｖｔから、カウント値ＴＮに相当するインク量を差し引いた値として、現在の総量Ｖｔを算出する（Ｖｔ＝Ｖｔ−ＴＮ）。そして、コントローラ１３０は、算出された総量Ｖｔ及び関数Ｆに基づいてインク量Ｖｃ、Ｖｓを求める（Ｓ３８）。
【０１２３】
そして、コントローラ１３０は、求めた現在の総量Ｖｔと、インク量Ｖｃ又はインク量Ｖｓの一方とを、ディスプレイ１７に表示する（Ｓ３９）。また、コントローラ１３０は、求めたインク量Ｖｃを、カートリッジ２００のＩＣ基板２４７のメモリに記憶されたインク量Ｖｃに上書きする（Ｓ４０）。
【０１２４】
また、コントローラ１３０は、Ｓ２２でＲＡＭ１３３に記憶させた情報がローレベル信号を示し、Ｓ２４でＲＡＭ１３３に記憶させた情報がハイレベル信号を示す（すなわち、Ｓ２３の処理の前後で液面センサ１５５の信号出力が変化したことに応じて（Ｓ３６：Ｌ→Ｈ）、Ｃ＿Ｅｍｐｔｙフラグに“ＯＮ”を設定する（Ｓ４１）。液面センサ１５５の出力がローレベル信号からハイレベル信号に変化するのは、Ｓ２３の処理中に液室１７１の液面が所定位置Ｐに達したことに対応する。そして、これ以降は、カートリッジ２００とタンク１６０との間でインクが移動しない。
【０１２５】
また、コントローラ１３０は、ＲＯＭ１３２から所定インク量Ｖｃｃ（＝０）を読み出して、インク量Ｖｃを所定インク量Ｖｃｃとする（Ｓ４２）。同様に、コントローラ１３０は、ＲＯＭ１３２から所定インク量Ｖｓｃ（所定位置Ｐ未満の液室１７１の容積に相当する。）を読み出して、インク量Ｖｓを所定インク量Ｖｓｃとする（Ｓ４２）。残量更新処理で算出されるインク量Ｖｃ、Ｖｓは誤差を含むので、コントローラ１３０は、液面センサ１５５の出力がローレベル信号からハイレベル信号に変化したタイミングで、インク量Ｖｃを所定インク量Ｖｃｃとし、また、インク量Ｖｓを所定インク量Ｖｓｃとして、累積した誤差をリセットする。また、コントローラ１３０は、現在の総量Ｖｔを、インク量Ｖｓと同じ値（Ｖｔ＝Ｖｓｃ）として算出する（Ｓ４２）。インク量Ｖｃがゼロになることによって、総量Ｖｔは、インク量Ｖｓと同じ値となる。
【０１２６】
そして、コントローラ１３０は、現在の総量Ｖｔと、インク量Ｖｃ又はインク量Ｖｓの一方とを、ディスプレイ１７に表示する（Ｓ４３）。また、コントローラ１３０は、前述したインク量Ｖｃを、カートリッジ２００のＩＣ基板２４７のメモリに記憶されたインク量Ｖｃに上書きする（Ｓ４４）。
【０１２７】
なお、液面センサ１５５の信号出力が変化するのは、Ｓ２３の処理の途中であるから、Ｓ４２で読み出された所定インク量Ｖｓｃは、正確には、液面センサ１５５の信号出力が変化した瞬間にタンク１６０に貯留されているインクの量ではなく、液面センサ１５５の信号出力が変化する直前のインクの量を示していることとなる。しかしながら、これらのインク量の差は僅かなので、Ｓ４２で読み出されたインク量Ｖｓｃが、液面センサ１５５の信号出力が変化した時点のインク量Ｖｓとして近似的に扱われる。
【０１２８】
また、コントローラ１３０は、ＥＥＰＲＯＭ１３４に記憶されたカウント値ＳＮ１を、直前のＳ２３で排出を指示したインク量に相当する値で更新する（Ｓ４５）。換言すれば、コントローラ１３０は、液面センサ１５５の出力がローレベル信号からハイレベル信号に変化したことに応じて、カウント値ＳＮ１の更新を開始してカウントアップする。また、コントローラ１３０は、ＥＥＰＲＯＭ１３４に記憶されたカウント値ＴＮを、直前のＳ２３で排出を指示したインク量に相当する値でカウントアップする。
【０１２９】
そして、コントローラ１３０は、インク量Ｖｓを算出する（Ｓ４６）。算出されるインク量Ｖｓは、ＲＯＭ１３２に記憶されたインク量Ｖｓｃから、カウント値ＳＮ１に相当するインク量を差し引いた値である。なお、前述したように、液面センサ１５５の出力がハイレベル信号になった後は、インク量Ｖｓは、現在の総量Ｖｔと同じ値である。また、インク量Ｖｃはゼロである。
【０１３０】
そして、コントローラ１３０は、現在の総量Ｖｔ又はインク量Ｖｓの一方を、ディスプレイ１７に表示する（Ｓ４７）。なお、液面センサ１５５の出力がハイレベル信号になった後は、インク量Ｖｃはゼロなので、コントローラ１３０は、カートリッジ２００のＩＣ基板２４７のメモリに記憶されたインク量Ｖｃを上書きする必要はない。
【０１３１】
次に、コントローラ１３０は、Ｓ４５で更新したカウント値ＳＮ１と、閾値Ｎｔ１とを比較する（Ｓ４８）。そして、コントローラ１３０は、Ｓ４５で更新したカウント値ＳＮ１が閾値Ｎｔ１未満だと判定したことに応じて（Ｓ４８：Ｎｏ）、カウント処理を終了する。一方、コントローラ１３０は、Ｓ４５で更新したカウント値ＳＮ１が閾値Ｎｔ１以上だと判定したことに応じて（Ｓ４８：Ｙｅｓ）、Ｓ＿Ｅｍｐｔｙフラグに“ＯＮ”を設定する（Ｓ４９）。そして、コントローラ１３０は、Ｓ＿Ｅｍｐｔｙフラグに“ＯＮ”が設定されていることに応じてヘッド２１を通じたインクの排出を禁止して、カウント処理を終了する。
【０１３２】
また、コントローラ１３０は、Ｓ２２、Ｓ２４でＲＡＭ１３３に記憶させた情報が共にハイレベル信号を示すことに応じて（Ｓ３６：Ｈ→Ｈ）、ＥＥＰＲＯＭ１３４に記憶されているカウント値ＳＮ１を読み出す（Ｓ４５）。そして、コントローラ１３０は、読み出したカウント値ＳＮ１を、直前のＳ２３で排出を指示したインク量に相当する値でカウントアップして、再びＥＥＰＲＯＭ１３４に記憶させる。すなわち、コントローラ１３０は、カウント値ＳＮ１を更新する（Ｓ４５）。また、コントローラ１３０は、カウント値ＴＮも更新する。次に、コントローラ１３０は、Ｓ４５で更新したカウント値ＳＮ１を用いて、前述したＳ４６からＳ４９の処理を実行する。
【０１３３】
［Ｅｍｐｔｙ仮解除処理］
次に図９を参照して、Ｓ１７でコントローラ１３０が実行するＥｍｐｔｙ仮解除処理の詳細を説明する。なお、コントローラ１３０は、４つのカートリッジ２００のそれぞれに対して、Ｅｍｐｔｙ仮解除処理を、独立して実行する。カートリッジ２００毎のＥｍｐｔｙ仮解除処理は共通するので、１つのカートリッジ２００に対応するＥｍｐｔｙ仮解除処理のみを説明する。
【０１３４】
まず、Ｅｍｐｔｙ仮解除処理が実行される状況について説明する。図８のカウント処理において、コントローラ１３０は、液面センサ１５５の信号がローレベル信号からハイレベル信号に変化したと判定したことに応じて（Ｓ３６：Ｌ→Ｈ）、Ｃ＿Ｅｍｐｔｙフラグに“ＯＮ”を設定する（Ｓ４１）。画像記録処理において、コントローラ１３０は、Ｃ＿Ｅｍｐｔｙフラグに“ＯＮ”が設定されていると判定したことに応じて（Ｓ１２：ＯＮ）、Ｃ＿Ｅｍｐｔｙ報知画面をディスプレイ１７に表示させる（Ｓ１３）。
【０１３５】
前述された状態（つまり、コントローラ１３０がＣ＿Ｅｍｐｔｙ報知画面をディスプレイ１７に表示させている状態）において、カートリッジ２００は、タンク１６０へインクが流出しない状態、すなわち、インク量Ｖｃがゼロ（Ｖｃ＝０）である。また、タンク１６０は、インクの液面が所定位置Ｐより下方である。したがって、ユーザは、インクエンプティ状態になる前に、エンプティになったカートリッジ２００を新品の或いは十分にインクが貯留されているカートリッジ２００に交換することが望ましい。
【０１３６】
ユーザがカートリッジ２００を交換している過程において、コントローラ１３０は、装着センサ１５４からローレベル信号を受信し、その後に装着センサ１５４からハイレベル信号を受信し（Ｓ１４：Ｙｅｓ）、さらにその後に装着センサ１５４からローレベル信号を受信する（Ｓ１５：Ｙｅｓ）。具体的には、カートリッジ２００が装着ケース１５０から抜去される過程では、コントローラ１３０は、装着センサ１５４からローレベル信号を受信し、その後に装着センサ１５４からハイレベル信号を受信する。次に、カートリッジ２００が装着ケース１５０に挿入される過程では、装着センサ１５４からハイレベル信号を受信し、その後に装着センサ１５４からローレベル信号を受信する。
【０１３７】
次に、Ｅｍｐｔｙ仮解除処理の詳細について説明する。図９のＥｍｐｔｙ仮解除処理において、コントローラ１３０は、接点１５２を通じてＩＣ基板２４７のメモリからＣＴＧ情報を読み出してＥＥＰＲＯＭ１３４に記憶させる（Ｓ５１）。詳しくは、コントローラ１３０は、接点１５２を通じてＩＣ基板２４７のメモリから少なくとも識別情報と、種類情報と、インク量Ｖｃとを読み出してＥＥＰＲＯＭ１３４に記憶させる（Ｓ５１）。
【０１３８】
コントローラ１３０は、ＩＣ基板２４７のメモリから読み出した識別情報と、交換前のカートリッジ２００のＩＣ基板２４７のメモリから読み出した識別情報とを比較する（Ｓ５２）。交換前のカートリッジ２００のＩＣ基板２４７のメモリから読み出した識別情報は、ＥＥＰＲＯＭ１３４に記憶されている。例えば、新品のカートリッジ２００に交換されている場合、比較された２つの識別情報は異なる。識別情報としては、例えば、カートリッジ２００のシリアルナンバーが使用される。
【０１３９】
また、コントローラ１３０は、比較した２つの識別情報が同じであると判定したことに応じて（Ｓ５２：Ｎｏ）、Ｅｍｐｔｙ仮解除処理を終了する。インクが消費されて液室２１０のインク量Ｖｃがゼロとなったカートリッジ２００が、再び装着ケース１５０に装着されても、カートリッジ２００の液室２１０からタンク１６０の液室１７１へインクが移動しないので、Ｃ＿Ｅｍｐｔｙを仮解除する必要がない。
【０１４０】
コントローラ１３０は、比較した２つの識別情報が異なると判定したことに応じて（Ｓ５２：Ｙｅｓ）、ＩＣ基板２４７のメモリから読み出したインク量Ｖｃが閾値Ｖｍｉｎより大きいか否かを判定する（Ｓ５３）。閾値Ｖｍｉｎは、カートリッジ２００の液室２１０からタンク１６０の液室１７１へインクが移動することによって、液室１７１内のインクの液面が所定位置Ｐ以上となるのに十分な量であって、所定インク量Ｖｓｃよりも大きい値である。
【０１４１】
コントローラ１３０は、Ｓ５１でＩＣ基板２４７のメモリから読み出したインク量Ｖｃが閾値Ｖｍｉｎ以下であると判定したことに応じて（Ｓ５３：Ｎｏ）、インク不足報知画面をディスプレイ１７に表示させ（Ｓ５４）、Ｅｍｐｔｙ仮解除処理を終了する。インク不足報知画面は、装着されたカートリッジ２００に貯留されたインクの量が不足しており、カートリッジ２００の交換が必要であることをユーザに報知するための画面である。
【０１４２】
図１２（Ｃ）に、インク不足報知画面の例を示す。図示例のインク不足報知画面は、図１２（Ａ）のＣ＿Ｅｍｐｔｙ報知画面と同様にオブジェクト２５１、オブジェクト２５２、及びオブジェクト２５３を有し、更にオブジェクト２５６を有する。オブジェクト２５６は、「交換したカートリッジのインクが不足しています」との文字列を有し、交換されたカートリッジ２００に貯留されていたインクの量が不足していたことをユーザに認識させる。
【０１４３】
コントローラ１３０は、Ｓ５１でＩＣ基板２４７のメモリから読み出したインク量Ｖｃが閾値Ｖｍｉｎより大きいと判定したことに応じて（Ｓ５３：Ｙｅｓ）、Ｓ５１でＩＣ基板２４７のメモリから読み出した種類情報が示すカートリッジ２００の種類が、「標準」であるか、又は、「大容量」であるかを判定する（Ｓ５５）。
【０１４４】
コントローラ１３０は、Ｓ５１でＩＣ基板２４７のメモリから読み出した種類情報が示すカートリッジ２００の種類が「標準」であると判定したことに応じて（Ｓ５５：標準）、ＲＯＭ１３２から所定値Ａ１を読み出して、閾値Ｎｔ２を読み出した所定値Ａ１に決定し、決定した閾値Ｎｔ２をＥＥＰＲＯＭ１３４に記憶させる（Ｓ５６）。
【０１４５】
コントローラ１３０は、Ｓ５１でＩＣ基板２４７のメモリから読み出した種類情報が示すカートリッジ２００の種類が「大容量」であると判定したことに応じて（Ｓ５５：大容量）、ＲＯＭ１３２から所定値Ａ２を読み出して、閾値Ｎｔ２を読み出した所定値Ａ２に決定し、決定した閾値Ｎｔ２をＥＥＰＲＯＭ１３４に記憶させる（Ｓ５７）。
【０１４６】
つまり、コントローラ１３０は、標準のカートリッジ２００よりも流入速度が大きい大容量のカートリッジが装着された場合に、所定値Ａ１よりも大きい所定値Ａ２を閾値Ｎｔ２として決定する。流入速度が小さい場合、カートリッジ２００からタンク１６０へのインクの流入に比較的長い時間を要するので、Ｅｍｐｔｙ仮解除するときにタンク１６０に貯留されているインクは、比較的多い方が好ましい。従って、閾値Ｎｔ２は小さい方が好ましい。逆に、流入速度が大きい場合には、Ｅｍｐｔｙ仮解除するときにタンク１６０に貯留されているインクは、比較的少なくてもよい。従って、閾値Ｎｔ２が大きい方が、Ｅｍｐｔｙ仮解除が行われる可能性が高くなり好ましい。
【０１４７】
続いて、コントローラ１３０は、Ｓ４５で更新したカウント値ＳＮ１と、Ｓ５６又はＳ５７で決定した閾値Ｎｔ２とを比較する（Ｓ５８）。コントローラ１３０は、カウント値ＳＮ１が閾値Ｎｔ２よりも小さいと判定したことに応じて、すなわち、アップカウントされるカウント値ＳＮ１が閾値Ｎｔ２に到達していないと判定したことに応じて（Ｓ５８：Ｙｅｓ）、ＥＥＰＲＯＭ１３４に記憶されているカウント値ＴＮ、ＳＮ１、インク量Ｖｃ、及びインク量Ｖｓを、ＥＥＰＲＯＭ１３４の別の記憶領域に記憶させる（Ｓ５９）。ＥＥＰＲＯＭ１３４の別の記憶領域に記憶されたカウント値ＴＮ、ＳＮ１、インク量Ｖｃ、及びインク量Ｖｓは、Ｃ＿Ｅｍｐｔｙが仮解除された後、後述されるように、Ｃ＿Ｅｍｐｔｙが正式解除されないときに用いられる。
【０１４８】
そして、コントローラ１３０は、仮解除フラグに“ＯＮ”を設定し（Ｓ６０）、Ｃ＿Ｅｍｐｔｙ報知画面をディスプレイ１７から消去する（Ｓ６１）。
【０１４９】
次に、コントローラ１３０は、カートリッジ交換後の総量Ｖｔを算出する（Ｓ６２）。詳細には、コントローラ１３０は、ＥＥＰＲＯＭ１３４に記憶されているカートリッジ交換前のカウント値ＳＮ１と、ＲＯＭ１３２に記憶されているインク量Ｖｓｃと、に基づいて、カートリッジ交換前のＶｓ（総量Ｖｔに等しい）を算出して、ＥＥＰＲＯＭ１３４に記憶させる。そして、算出したインク量Ｖｓと、交換後のカートリッジ２００のＩＣ基板２４７のメモリから読み出したインク量Ｖｃと、に基づいて、カートリッジ交換後の総量Ｖｔを算出する。つまり、カートリッジ２００が交換される直前のタンク１６０の液室１７１に貯留されているインク量Ｖｓに、新しいカートリッジ２００の液室２１０に貯留されているインク量Ｖｃが加わることとなる。したがって、コントローラ１３０は、交換されたカートリッジ２００のＩＣ基板２４７のメモリから読み出したインク量Ｖｃと、ＥＥＰＲＯＭ１３４に記憶されているカートリッジ交換前のインク量Ｖｓと、の和を総量として算出する（Ｖｔ＝Ｖｓ＋Ｖｃ）。
【０１５０】
そして、コントローラ１３０は、算出した総量Ｖｔと、ＥＥＰＲＯＭ１３４から読み出した関数Ｆとに基づいて、液室２１０から液室１７１へのインクの移動が終了したときのインク量Ｖｃ及びインク量Ｖｓを算出する（Ｓ６２）。カートリッジ２００が交換されると、新たなカートリッジ２００の液室２１０に貯留されているインクが、ニードル１８１を通じてタンク１６０の液室１７１に流入する。その結果、液室２１０のインク量Ｖｃは減少し、また、液室１７１のインク量Ｖｓは増加する。そして、カートリッジ２００の液室２１０のインクと、タンク１６０の液室１７１のインクとは、それぞれのインクの液面の上下方向７の位置が一致した状態で平衡になる。
【０１５１】
コントローラ１３０は、Ｓ６２を実行した後、ＥＥＰＲＯＭ１３４に記憶されているカウント値ＴＮ、ＳＮ１をリセットする（Ｓ６３）。これにより、カウント値ＴＮ、ＳＮ１は、それぞれ初期値（ここではゼロ）となる。
【０１５２】
そして、コントローラ１３０は、求めたインクの総量Ｖｔと、インク量Ｖｃ又はインク量Ｖｓの一方とをディスプレイ１７に表示する（Ｓ６４）。また、コントローラ１３０は、算出したインク量Ｖｃを、接点１５２を通じてＩＣ基板２４７のメモリに記憶させる（Ｓ６５）。コントローラ１３０は、ＩＣ基板２４７のメモリに初期インク量Ｖｃ０が記憶されていれば、初期インク量Ｖｃ０を算出したインク量Ｖｃで上書きする。ＩＣ基板２４７のメモリから初期インク量Ｖｃ０が別のインク量Ｖｃに上書きされることによって、そのカートリッジ２００が新品でないと判定可能となる。なお、製造段階において、カートリッジ２００が新品であることを示すフラグをＩＣ基板２４７のメモリにおいて“ＯＮ”としておき、カートリッジ２００が一度でも装着ケース１５０に装着されると、コントローラ１３０が、そのフラグに“ＯＦＦ”を設定することによって、コントローラ１３０が、そのフラグの値に基づいて、カートリッジ２００が新品であるかを判定することとしてもよい。
【０１５３】
そして、コントローラ１３０は、Ｃ＿Ｅｍｐｔｙフラグに“ＯＦＦ”を設定し（Ｓ６６）、禁止フラグに“ＯＦＦ”を設定して（Ｓ６７）、Ｅｍｐｔｙ仮解除処理を終了する。
【０１５４】
コントローラ１３０は、カウント値ＳＮ１が閾値Ｎｔ２以上であると判定したことに応じて、すなわち、アップカウントされるカウント値ＳＮ１が閾値Ｎｔ２に到達していると判定したことに応じて（Ｓ５８：Ｎｏ）、Ｓ５９と同様に、ＥＥＰＲＯＭ１３４に記憶されているカウント値ＴＮ、ＳＮ１、インク量Ｖｃ、及びインク量Ｖｓを、ＥＥＰＲＯＭ１３４の別の記憶領域に記憶させる（Ｓ６８）。次に、コントローラ１３０は、禁止フラグに“ＯＮ”を設定し（Ｓ６９）、インク流入中画面をディスプレイ１７に表示させる（Ｓ７０）。インク流入中画面は、装着されたカートリッジ２００に貯留されたインクがタンク１６０に流入中であることをユーザに報知するための画面である。Ｓ７０にてインク流入中画面をディスプレイ１７に表示させることは、報知機に第２報知を行わせることの一例である。
【０１５５】
図１３（Ａ）に、インク流入中画面の例を示す。図示例のインク流入中画面は、オブジェクト２５７と、オブジェクト２５８とを有する。オブジェクト２５７は、カートリッジ２００からタンク１６０へインクが流入中である旨を示し、「カートリッジ（１）のインクを本体内（２）に移しています」との文字列を有する。オブジェクト２５８は、プリンタ１０内における簡略化したカートリッジ２００及びタンク１６０を示す。 
【０１５６】
続いて、コントローラ１３０は、Ｓ６２と同様に、カートリッジ交換後の総量Ｖｔを算出し、液室２１０から液室１７１へのインクの移動が終了したときのインク量Ｖｃ及びインク量Ｖｓを算出する（Ｓ７１）。次に、コントローラ１３０は、Ｓ６３と同様に、ＥＥＰＲＯＭ１３４に記憶されているカウント値ＴＮ、ＳＮ１をリセットする（Ｓ７２）。そして、コントローラ１３０は、Ｓ６５と同様に、算出したインク量Ｖｃを、接点１５２を通じてＩＣ基板２４７のメモリに記憶させ（Ｓ７３）、Ｅｍｐｔｙ仮解除処理を終了する。
【０１５７】
［Ｅｍｐｔｙ正式解除処理］
次に図１０を参照して、Ｓ２７でコントローラ１３０が実行するＥｍｐｔｙ正式解除処理の詳細を説明する。なお、コントローラ１３０は、４つのカートリッジ２００のそれぞれに対して、Ｅｍｐｔｙ正式解除処理を、独立して実行する。カートリッジ２００毎のＥｍｐｔｙ正式解除処理は共通するので、１つのカートリッジ２００に対応するＥｍｐｔｙ解除処理のみを説明する。
【０１５８】
仮解除フラグ又は禁止フラグが“ＯＮ”の状態では、カートリッジ２００の液室２１０からタンク１６０の液室１７１へインクが移動しており、且つ液室１７１内のインクの液面が所定位置Ｐ未満である。この状態において、Ｓ２３の処理が実行されると、コントローラ１３０は、ＥＥＰＲＯＭ１３４に記憶されたカウント値ＳＮ２を、直前のＳ２３で排出を指示したインク量に相当する値でカウントアップする（Ｓ８０）。換言すれば、コントローラ１３０は、仮解除フラグ又は禁止フラグが“ＯＮ”にされたことに応じて、カウント値ＳＮ２の更新を開始する。また、コントローラ１３０は、ＥＥＰＲＯＭ１３４に記憶されたカウント値ＴＮを、直前のＳ２３で排出を指示したインク量に相当する値でカウントアップする。
【０１５９】
そして、コントローラ１３０は、現在の総量Ｖｔを算出する（Ｓ８１）。現在の総量Ｖｔは、ＥＥＰＲＯＭ１３４に記憶されたインク量Ｖｃ及びインク量Ｖｓの和から、カウント値ＴＮに相当するインク量を差し引いた値である。また、コントローラ１３０は、算出された現在の総量Ｖｔ及び関数Ｆに基づいてインク量Ｖｃ，Ｖｓを求める（Ｓ８１）。
【０１６０】
そして、コントローラ１３０は、求めた総量Ｖｔと、インク量Ｖｃ又はインク量Ｖｓの一方と、をディスプレイ１７に表示する（Ｓ８２）。また、コントローラ１３０は、求めたインク量Ｖｃを、カートリッジ２００のＩＣ基板２４７のメモリに記憶されたインク量Ｖｃに上書きする（Ｓ８３）。
【０１６１】
次に、コントローラ１３０は、液面センサ１５５の出力がローレベル信号であるかを判定する（Ｓ８４）。コントローラ１３０は、液面センサ１５５の出力がローレベル信号であると判定したことに応じて（Ｓ８４：Ｙｅｓ）、仮解除フラグ、Ｓ＿Ｅｍｐｔｙフラグ、及び禁止フラグにそれぞれ“ＯＦＦ”を設定し（Ｓ８５、Ｓ８６、Ｓ８７）、インク流入中画面をディスプレイ１７から消去し（Ｓ８８）、Ｅｍｐｔｙ正式解除処理を終了する。
【０１６２】
コントローラ１３０は、液面センサ１５５の出力がローレベル信号でない、すなわちハイレベル信号であると判定したことに応じて（Ｓ８４：Ｎｏ）、Ｓ８０で更新したカウント値ＳＮ２及びＥＥＰＲＯＭ１３４の別の領域に退避されたカウント値ＳＮ１との和と、閾値Ｎｔ１とを比較する（Ｓ８９）。
【０１６３】
そして、コントローラ１３０は、Ｓ８０で更新したカウント値ＳＮ２及びカウント値ＳＮ１との和が閾値Ｎｔ１未満だと判定したことに応じて（Ｓ８９：Ｎｏ）、Ｓ１６でＲＡＭ１３３に記憶させた経過時間Ｔの開始時刻と現在の時刻とから、経過時間Ｔを算出し、算出した経過時間Ｔと待機時間Ｔｗとを比較する（Ｓ９０）。コントローラ１３０は、算出した経過時間Ｔが待機時間Ｔｗを越えていない、すなわち経過時間Ｔが待機時間Ｔｗ以下であると判定したことに応じて（Ｓ９０：Ｎｏ）、Ｅｍｐｔｙ正式解除処理を終了する。
【０１６４】
また、コントローラ１３０は、算出した経過時間Ｔが待機時間Ｔｗを越えた、すなわち経過時間Ｔが待機時間Ｔｗより大きいと判定したことに応じて（Ｓ９０：Ｙｅｓ）、Ｃ＿Ｅｍｐｔｙフラグに“ＯＮ”を設定する（Ｓ９１）。そして、コントローラ１３０は、Ｃ＿Ｅｍｐｔｙフラグに“ＯＮ”が設定されていることに応じて、流入エラー報知画面をディスプレイ１７に表示させる（Ｓ９２）。流入エラー報知画面は、交換されたカートリッジ２００に貯留されたインクがタンク１６０に流入せず、タンク１６０の液面が所定位置Ｐ以上とならなかったことをユーザに報知するための画面である。
【０１６５】
図１３（Ｂ）に、流入エラー報知画面の例を示す。図示例の流入エラー報知画面は、図１２（Ａ）のＣ＿Ｅｍｐｔｙ報知画面と同様にオブジェクト２５１、オブジェクト２５２、及びオブジェクト２５３を有し、更にオブジェクト２５９を有する。オブジェクト２５９は、「交換したカートリッジからインクが流入できません」との文字列を有し、交換されたカートリッジ２００に貯留されたインクがタンク１６０に流入せず、タンク１６０の液面が所定位置Ｐ以上とならなかったことをユーザに認識させる。
【０１６６】
そして、コントローラ１３０は、Ｓ５９にてＥＥＰＲＯＭ１３４の別の領域に記憶させたカウント値ＴＮ、ＳＮ１、インク量Ｖｃ、及びインク量Ｖｓを読み出して（Ｓ９３）、これらの値で、現在、ＥＥＰＲＯＭ１３４に記憶されているカウント値ＴＮ、ＳＮ１、インク量Ｖｃ、及びインク量Ｖｓを更新する（Ｓ９４）。すなわち、ＥＥＰＲＯＭ１３４の別の領域に記憶されているカウント値ＴＮ、ＳＮ１に、カウント値ＳＮ２を加えて、ＥＥＰＲＯＭ１３４に記憶されているカウント値ＴＮ、ＳＮ１に対して更新する。また、ＲＯＭ１３２に記憶されているインク量Ｖｓｃから更新されたカウント値ＳＮ１に相当する値を差し引いてインク量Ｖｓを更新する。また、コントローラ１３０は、インク量Ｖｃをゼロに更新する。そして、コントローラ１３０は、仮解除フラグに“ＯＦＦ”を設定し（Ｓ９５）、Ｅｍｐｔｙ正式解除処理を終了する。これにより、Ｅｍｐｔｙ仮解除の状態が終了し、カートリッジエンプティの状態となる。
【０１６７】
また、コントローラ１３０は、Ｓ８０で更新したカウント値ＳＮ２及びカウント値ＳＮ１との和が閾値Ｎｔ１以上であると判定したことに応じて（Ｓ８９：Ｙｅｓ）、Ｓ＿Ｅｍｐｔｙフラグに“ＯＮ”を設定する（Ｓ９６）。カウント値ＳＮ２及びカウント値ＳＮ１との和が閾値Ｎｔ１以上であれば、タンク１６０の液室１７１のインクの液面が流出口１７４の直上付近に到達したこととなる。
【０１６８】
そして、コントローラ１３０は、カートリッジ２００からタンク１６０へインクが流入中であることを報知するインク流入中画面をディスプレイ１７に表示させる（Ｓ９７）。Ｓ９７で表示されるインク流入中画面は、Ｓ７０と同様であってもよい。また、コントローラ１３０は、Ｓ１６でＲＡＭ１３３に記憶させた経過時間Ｔの開始時刻と現在の時刻とから、経過時間Ｔを算出し、算出した経過時間Ｔと待機時間Ｔｗとを比較する（Ｓ９８）。コントローラ１３０は、算出した経過時間Ｔが待機時間Ｔｗを越えていない、すなわち経過時間Ｔが待機時間Ｔｗ以下であると判定したことに応じて（Ｓ９８：Ｎｏ）、Ｓ９７で表示させたインク流入中画面をディスプレイ１７に表示し続ける。
【０１６９】
コントローラ１３０は、算出した経過時間Ｔが待機時間Ｔｗを越えた、すなわち経過時間Ｔが待機時間Ｔｗより大きいと判定したことに応じて（Ｓ９８：Ｙｅｓ）、液面センサ１５５が出力する信号がローレベル信号であるかを判定する（Ｓ９９）。コントローラ１３０は、液面センサ１５５が出力する信号がローレベル信号であると判定したことに応じて（Ｓ９９：Ｙｅｓ）、前述したＳ８５及びＳ８６の処理を実行して、Ｅｍｐｔｙ正式解除処理を終了する。
【０１７０】
他方、コントローラ１３０は、液面センサ１５５が出力する信号がローレベル信号でない、すなわちハイレベル信号であると判定したことに応じて（Ｓ９９：Ｎｏ）、インク流入中画面に代えて、Ｓ＿Ｅｍｐｔｙ報知画面をディスプレイ１７に表示させる（Ｓ１００）。そして、前述したＳ９３からＳ９５の処理を実行して、Ｅｍｐｔｙ正式解除処理を終了する。これにより、Ｅｍｐｔｙ仮解除の状態が終了し、インクエンプティの状態となる。
【０１７１】
また、コントローラ１３０は、画像記録処理のＳ１１において、Ｓ＿Ｅｍｐｔｙフラグが“ＯＮ”であると判定したことに応じて（Ｓ１１：Ｙｅｓ）、図１１に示す処理を実行する。まず、コントローラ１３０は、Ｓ＿Ｅｍｐｔｙ報知画面をディスプレイ１７に表示させる（Ｓ１０１）。そして、コントローラ１３０は、装着センサ１５４が出力する信号が、ローレベル信号からハイレベル信号に変化し、再びハイレベル信号からローレベル信号に変化したかを判定する（Ｓ１０２）。そして、コントローラ１３０は、装着センサ１５４が出力する信号が、ローレベル信号からハイレベル信号に変化し、再びハイレベル信号からローレベル信号に変化するまで、所定の時間間隔でＳ１０２の処理を繰り返し実行する（Ｓ１０２：Ｎｏ）。換言すれば、コントローラ１３０は、カートリッジ２００が装着ケース１５０から抜き出され、新たにカートリッジ２００が装着ケース１５０に装着されるまで、Ｓ１０２の処理を繰り返し実行する。
【０１７２】
そして、コントローラ１３０は、装着センサ１５４が出力する信号が、ローレベル信号からハイレベル信号に変化し、再びハイレベル信号からローレベル信号に変化したと判定したことに応じて（Ｓ１０２：Ｙｅｓ）、接点１５２を通じてＩＣ基板２４７のメモリからＣＴＧ情報を読み出してＥＥＰＲＯＭ１３４に記憶させ（Ｓ１０３）、インク流入中画面をディスプレイ１７に表示させる（Ｓ１０４）。
【０１７３】
そして、コントローラ１３０は、液面センサ１５５が出力する信号がローレベル信号であるかを判定する（Ｓ１０５）。コントローラ１３０は、液面センサ１５５が出力する信号がローレベル信号でない、すなわちハイレベル信号であると判定したことに応じて（Ｓ１０５：Ｎｏ）、液面センサ１５５の出力がローレベル信号となるまで、Ｓ１０５の処理を繰り返す。
【０１７４】
コントローラ１３０は、液面センサ１５５が出力する信号がローレベル信号であると判定したことに応じて（Ｓ１０５：Ｙｅｓ）、ＥＥＰＲＯＭ１３４に記憶されているカートリッジ交換前のカウント値ＳＮ１と、ＲＯＭ１３２に記憶されているインク量Ｖｓｃと、に基づいて、カートリッジ交換前のＶｓ（総量Ｖｔに等しい）を算出して、ＥＥＰＲＯＭ１３４に記憶させる。そして、算出したインク量Ｖｓと、交換後のカートリッジ２００のＩＣ基板２４７のメモリから読み出したインク量Ｖｃと、に基づいて、カートリッジ交換後の総量Ｖｔを算出する（Ｓ１０６：Ｖｔ＝Ｖｓ＋Ｖｃ）。
【０１７５】
そして、コントローラ１３０は、算出した総量Ｖｔと、ＥＥＰＲＯＭ１３４から読み出した関数Ｆとに基づいて、液室２１０から液室１７１へのインクの移動が終了したときのインク量Ｖｃ及びインク量Ｖｓを算出する（Ｓ１０６）。
【０１７６】
また、コントローラ１３０は、ＥＥＰＲＯＭ１３４に記憶されているカウント値ＴＮ、ＳＮ１、ＳＮ２をリセットする（Ｓ１０７）。これにより、カウント値ＴＮ、ＳＮ１、ＳＮ２は、それぞれ初期値（ここではゼロ）となる。
【０１７７】
そして、コントローラ１３０は、求めたインクの総量Ｖｔと、インク量Ｖｃ又はインク量Ｖｓの一方とをディスプレイ１７に表示する（Ｓ１０８）。また、コントローラ１３０は、算出したインク量Ｖｃを、接点１５２を通じてＩＣ基板２４７のメモリに記憶させる（Ｓ１０９）。
【０１７８】
そして、コントローラ１３０は、仮解除フラグ、Ｓ＿Ｅｍｐｔｙフラグ、及びＣ＿Ｅｍｐｔｙフラグにそれぞれ“ＯＦＦ”を設定する（Ｓ１１０、Ｓ１１１、Ｓ１１２）。コントローラ１３０は、Ｓ＿Ｅｍｐｔｙフラグに“ＯＦＦ”が設定されていることに応じて、インク流入中画面をディスプレイ１７から消去して（Ｓ１１３）、Ｓ１８の処理へ戻る。
【０１７９】
［作用効果］
上記実施形態によれば、ディスプレイ１７にＣ＿Ｅｍｐｔｙ報知画面が表示されたカートリッジエンプティ状態において、カートリッジ２００が交換されてから、液面センサ１５５がローレベル信号を出力する前に、カウント値ＳＮ１が閾値Ｎｔ２に到達していないことを条件として、Ｃ＿Ｅｍｐｔｙ報知画面がディスプレイ１７から消去される。また、Ｃ＿Ｅｍｐｔｙ報知画面がディスプレイ１７から消去された後、カートリッジ２００が交換されてからの経過時間Ｔが待機時間Ｔｗに到達すると、Ｃ＿Ｅｍｐｔｙ報知画面がディスプレイ１７に表示されるので、カートリッジ２００が交換された後に、タンク１６０の液室１７１のインクの液面が所定位置Ｐ以上となっておらず、カートリッジ２００の再交換が必要であることをユーザに報知することができる。
【０１８０】
［変形例１］
上記実施形態では、コントローラ１３０が、装着されたカートリッジ２００が「標準」であるか「大容量」であるかに応じて、閾値Ｎｔ２が所定値Ａ１又は所定値Ａ２のいずれかに決定される例が説明された。本変形例では、ＥＥＰＲＯＭ１３４に記憶された印刷設定情報が示す印刷設定に応じて閾値Ｎｔ２が決定される例が説明される。
【０１８１】
本変形例では、ＥＥＰＲＯＭ１３４は、印刷設定情報を記憶している。印刷設定情報は、記録処理にて用いられるデフォルトの印刷設定を示す情報であり、例えば、標準的な画質でのシートへの画像記録を行う標準設定と、標準設定より高画質でのシートへの画像記録を行う高画質設定のいずれかを示す情報である。高画質設定では、単位時間当たりのヘッド２１からのインクの排出量が、標準設定より多い。高画質設定は、第１印刷設定の一例である。標準設定は、第２印刷設定の一例である。
【０１８２】
本変形例では、コントローラ１３０は、図９に示されるＥｍｐｔｙ仮解除処理に替えて、図１４に示されるＥｍｐｔｙ仮解除処理を実行する。なお、以下で説明する処理以外の処理は、上記実施形態で説明した処理と同じである。図１４に示される処理において、実施形態と同じ処理については、同一の参照符号を付して説明を省略する。
【０１８３】
本変形例に係るプリンタ１０のコントローラ１３０は、実施形態と同様に、Ｓ５３の処理を実行する。コントローラ１３０は、Ｓ５１でＩＣ基板２４７のメモリから読み出したインク量Ｖｃが閾値Ｖｍｉｎより大きいと判定したことに応じて（Ｓ５３：Ｙｅｓ）、ＥＥＰＲＯＭ１３４に記憶されている印刷設定情報が示す印刷設定が、標準設定であるか高画質設定であるかを判定する（Ｓ１２１）。
【０１８４】
コントローラ１３０は、ＥＥＰＲＯＭ１３４に記憶されている印刷設定情報が示す印刷設定が高画質設定であると判定したことに応じて（Ｓ１２１：高画質）、ＲＯＭ１３２から所定値Ａ１を読み出して、閾値Ｎｔ２を読み出した所定値Ａ１に決定し、決定した閾値Ｎｔ２をＥＥＰＲＯＭ１３４に記憶させる（Ｓ５６）。所定値Ａ１は、第５所定値の一例である。
【０１８５】
コントローラ１３０は、ＥＥＰＲＯＭ１３４に記憶されている印刷設定情報が示す印刷設定が標準設定であると判定したことに応じて（Ｓ１２１：標準）、ＲＯＭ１３２から所定値Ａ２を読み出して、閾値Ｎｔ２を読み出した所定値Ａ２に決定し、決定した閾値Ｎｔ２をＥＥＰＲＯＭ１３４に記憶させる（Ｓ５７）。所定値Ａ２は、第６所定値の一例である。
【０１８６】
［変形例２］
上記実施形態では、コントローラ１３０が、装着されたカートリッジ２００が「標準」であるか「大容量」であるかに応じて、閾値Ｎｔ２が所定値Ａ１又は所定値Ａ２のいずれかに決定される例が説明され、変形例１では、ＥＥＰＲＯＭ１３４に記憶された印刷設定情報が示す印刷設定に応じて閾値Ｎｔ２が決定される例が説明された。本変形例では、プリンタ１０が受け付けた記録指示が示す印刷設定に応じて閾値Ｎｔ２が決定される例が説明される。
【０１８７】
本変形例では、プリンタ１０が受け付ける記録指示は、シートへの画像記録の画質の設定である印刷設定を指定している。印刷設定は、例えば、標準的な画質でのシートへの画像記録を行う標準設定と、標準設定より高画質でのシートへの画像記録を行う高画質設定のいずれかである。高画質設定では、単位時間当たりのヘッド２１からのインクの排出量が、標準設定より多い。高画質設定は、第３印刷設定の一例である。標準設定は、第４印刷設定の一例である。
【０１８８】
本変形例では、コントローラ１３０は、図９に示されるＥｍｐｔｙ仮解除処理に替えて、図１５に示されるＥｍｐｔｙ仮解除処理を実行する。なお、以下で説明する処理以外の処理は、上記実施形態で説明した処理と同じである。図１５に示される処理において、実施形態と同じ処理については、同一の参照符号を付して説明を省略する。
【０１８９】
本変形例に係るプリンタ１０のコントローラ１３０は、実施形態と同様に、Ｓ５３の処理を実行する。コントローラ１３０は、Ｓ５１でＩＣ基板２４７のメモリから読み出したインク量Ｖｃが閾値Ｖｍｉｎより大きいと判定したことに応じて（Ｓ５３：Ｙｅｓ）、最後に受け付けた記録指示が指定している印刷設定が、標準設定であるか高画質設定であるかを判定する（Ｓ１３１）。最後に受け付けた記録指示とは、現在実行している画像記録処理に係る記録指示である。なお、記録指示によらず、例えばメンテナンス指示を取得したことに応じてコントローラ１３０が図７と同様の処理を実行し、Ｅｍｐｔｙ仮解除処理を実行している場合には、コントローラ１３０は、前回実行した画像記録処理に係る記録指示を、最後に受け付けた印刷設定として、Ｓ１３１の処理を行ってもよい。
【０１９０】
コントローラ１３０は、最後に受け付けた記録指示が指定している印刷設定が高画質設定であると判定したことに応じて（Ｓ１３１：高画質）、ＲＯＭ１３２から所定値Ａ１を読み出して、閾値Ｎｔ２を読み出した所定値Ａ１に決定し、決定した閾値Ｎｔ２をＥＥＰＲＯＭ１３４に記憶させる（Ｓ５６）。所定値Ａ１は、第７所定値の一例である。
【０１９１】
コントローラ１３０は、最後に受け付けた記録指示が指定している印刷設定が標準設定であると判定したことに応じて（Ｓ１３１：標準）、ＲＯＭ１３２から所定値Ａ２を読み出して、閾値Ｎｔ２を読み出した所定値Ａ２に決定し、決定した閾値Ｎｔ２をＥＥＰＲＯＭ１３４に記憶させる（Ｓ５７）。所定値Ａ２は、第８所定値の一例である。
【０１９２】
［変形例３］
上記実施形態では、コントローラ１３０が、装着されたカートリッジ２００が「標準」であるか「大容量」であるかに応じて、閾値Ｎｔ２が所定値Ａ１又は所定値Ａ２のいずれかに決定される例が説明された。本変形例では、装着されたカートリッジ２００のインク量Ｖｃに応じて閾値Ｎｔ２が決定される例が説明される。
【０１９３】
本変形例では、ＥＥＰＲＯＭ１３４は、関数Ｆ’を記憶している。関数Ｆ’は、インク量Ｖｃと、閾値Ｎｔ２との対応関係を示す情報である。閾値Ｎｔ２は、関数Ｆ’によって算出される。ここで、カートリッジ２００に貯留されているインクの量が多いほど、液室２１０の液面の高さが高くなり、カートリッジ２００が装着ケース１５０に装着されたときのカートリッジ２００からタンク１６０へのインクの流入速度が大きくなる。前述したとおり、流入速度が大きいほど閾値Ｎｔ２が大きい方が好ましい。本変形例では、関数Ｆ’は、インク量Ｖｃが大きいほど閾値Ｎｔ２が大きくなるよう設定されている。
【０１９４】
本変形例では、コントローラ１３０は、図９に示されるＥｍｐｔｙ仮解除処理に替えて、図１６に示されるＥｍｐｔｙ仮解除処理を実行する。なお、以下で説明する処理以外の処理は、上記実施形態で説明した処理と同じである。図１６に示される処理において、実施形態と同じ処理については、同一の参照符号を付して説明を省略する。
【０１９５】
本変形例に係るプリンタ１０のコントローラ１３０は、実施形態と同様に、Ｓ５３の処理を実行する。コントローラ１３０は、Ｓ５１でＩＣ基板２４７のメモリから読み出したインク量Ｖｃが閾値Ｖｍｉｎより大きいと判定したことに応じて（Ｓ５３：Ｙｅｓ）、Ｓ５１でＩＣ基板２４７のメモリから読み出したインク量Ｖｃと、ＥＥＰＲＯＭ１３４に記憶されている関数Ｆ’とに基づいて、閾値Ｎｔ２を決定し、ＥＥＰＲＯＭ１３４に記憶させる（Ｓ１４１）。そして、コントローラ１３０は、Ｓ４５で更新したカウント値ＳＮ１と、Ｓ１４１で決定した閾値Ｎｔ２とを比較する（Ｓ５８）。
【０１９６】
なお、閾値Ｎｔ２は、関数Ｆ’の形式に限定されず、インク量Ｖｃ毎に対応づけられたテーブルによって決定されてもよい。また、閾値Ｎｔ２が、カートリッジ２００の液室２１０の液面高さＨｃに基づいて決定されてもよい。液面高さＨｃは、インク量Ｖｃに基づいて算出することができる。例えば、液面高さＨｃは、インク量Ｖｃと液面高さＨｃとの対応関係を示す関数又はテーブルに基づいて決定される。
【０１９７】
［変形例４］
上記実施形態では、コントローラ１３０が、Ｅｍｐｔｙ仮解除処理のＳ５８にて、カウント値ＳＮ１と閾値Ｎｔ２とを比較する例が説明された。本変形例では、コントローラ１３０が、タンク１６０のインク量Ｖｓと、閾値Ｖｔｈとを比較する例が説明される。
【０１９８】
本変形例では、ＲＯＭ１３２には、所定値Ｖｓ１及び所定値Ｖｓ２が記憶されている。タンク１６０の液室１７０のインクの液面が、流出口１７４の上端よりも上方に位置し、且つ、所定位置Ｐよりも下方に位置するときの、インクの量に対応する値である。所定値Ｖｓ２は、所定値Ｖｓ１よりも小さい。所定値Ｖｓ１は、第１所定値及び第３所定値の一例である。所定値Ｖｓ２は、第２所定値及び第４所定値の一例である。また、ＥＥＰＲＯＭ１３４は、閾値Ｖｔｈを記憶している。
【０１９９】
本変形例では、コントローラ１３０は、図９に示されるＥｍｐｔｙ仮解除処理に替えて、図１７に示されるＥｍｐｔｙ仮解除処理を実行する。なお、以下で説明する処理以外の処理は、上記実施形態で説明した処理と同じである。図１７に示される処理において、実施形態と同じ処理については、同一の参照符号を付して説明を省略する。
【０２００】
本変形例に係るプリンタ１０のコントローラ１３０は、実施形態と同様に、Ｓ５５の処理を実行する。コントローラ１３０は、Ｓ５１でＩＣ基板２４７のメモリから読み出した種類情報が示すカートリッジ２００の種類が「標準」であると判定したことに応じて（Ｓ５５：標準）、ＲＯＭ１３２から所定値Ｖｓ１を読み出して、閾値Ｖｔｈを読み出した所定値Ｖｓ１に決定し、決定した閾値ＶｔｈをＥＥＰＲＯＭ１３４に記憶させる（Ｓ１５１）。
【０２０１】
コントローラ１３０は、Ｓ５１でＩＣ基板２４７のメモリから読み出した種類情報が示すカートリッジ２００の種類が「大容量」であると判定したことに応じて（Ｓ５５：大容量）、ＲＯＭ１３２から所定値Ｖｓ２を読み出して、閾値Ｖｔｈを読み出した所定値Ｖｓ２に決定し、決定した閾値ＶｔｈをＥＥＰＲＯＭ１３４に記憶させる（Ｓ１５３）。
【０２０２】
続いて、コントローラ１３０は、上述したＳ６２と同様にして、インク量Ｖｓを算出する（Ｓ１５３）。そして、コントローラ１３０は、Ｓ１５３で算出したインク量Ｖｓと、Ｓ１５１又はＳ１５２で決定した閾値Ｖｔｈとを比較する（Ｓ１５４）。コントローラ１３０は、インク量Ｖｓが閾値Ｎｔ２よりも大きいと判定したことに応じて、すなわち、ヘッド２１からの排出に伴い減少するインク量Ｖｓが閾値Ｖｔｈに到達していないと判定したことに応じて（Ｓ１５４：Ｙｅｓ）、Ｓ５９以降の処理を実行する。コントローラ１３０は、インク量Ｖｓが閾値Ｎｔ２以下であると判定したことに応じて、すなわち、ヘッド２１からの排出に伴い減少するインク量Ｖｓが閾値Ｖｔｈに到達していると判定したことに応じて（Ｓ１５４：Ｎｏ）、Ｓ６９以降の処理を実行する。インク量Ｖｓは、第１値の一例である。閾値Ｖｔｈは、第１閾値の一例である。
【０２０３】
［他の変形例］
上記実施形態では、装着ケース１５０に、標準のカートリッジ２００と、大容量カートリッジとが装着可能である例が説明されたが、インクの種類や粘度、液室や流路の形状、流路の流路抵抗等が異なることによって流入速度の異なる、複数の種類のカートリッジが、装着ケース１５０に装着可能であってもよい。
【０２０４】
上記実施形態では、Ｅｍｐｔｙ仮解除処理において、装着されたカートリッジ２００の識別情報が交換前のカートリッジ２００の識別情報と異なるかの判定（Ｓ５２）と、装着されたカートリッジ２００のＩＣ基板２４７のメモリから読み出したインク量Ｖｃが閾値Ｖｍｉｎより大きいかの判定（Ｓ５３）が実行されるが、Ｓ５２とＳ５３とは必ずしも実行されなくてもよい。すなわち、コントローラ１３０は、装着ケース１５０のカートリッジ２００が装着されたことに応じて、カートリッジエンプティ状態を仮解除してもよい。また、Ｓ５２、Ｓ５３は選択的にいずれか一方のみが実行されてもよい。
【０２０５】
また、上記実施形態では、液面センサ１５５の出力がローレベル信号からハイレベル信号に変化したことに応じて、Ｃ＿Ｅｍｐｔｙフラグに“ＯＮ”が設定されてＣ＿Ｅｍｐｔｙ報知画面がディスプレイ１７に表示されるが、これに代えて、液面センサ１５５の出力がローレベル信号からハイレベル信号に変化した後、カウント値ＳＮ１が所定の閾値に到達したことに応じて、Ｃ＿Ｅｍｐｔｙフラグに“ＯＮ”が設定されてＣ＿Ｅｍｐｔｙ報知画面がディスプレイ１７に表示されてもよい。
【０２０６】
また、上記実施形態では、カートリッジエンプティ状態において、カートリッジ２００が交換されて、装着センサ１５４からローレベル信号を受信したことに応じて、カートリッジエンプティ状態が仮解除になるが、カートリッジエンプティ状態に代えて、インクエンプティ状態が、装着センサ１５４からローレベル信号を受信したことに応じて、仮解除にされてもよい。すなわち、Ｓ＿Ｅｍｐｔｙフラグが“ＯＮ”であるときに、コントローラ１３０は、装着センサ１５４からローレベル信号を受信したことに応じて、Ｅｍｐｔｙ仮解除処理を実行して、Ｓ＿Ｅｍｐｔｙフラグに“ＯＦＦ”を設定する。これにより、カートリッジが交換されてから、液面センサ１５５がローレベル信号を出力する前に、Ｓ＿Ｅｍｐｔｙ報知画面がディスプレイ１７から消去される。
【０２０７】
また、Ｓ＿Ｅｍｐｔｙフラグが“ＯＮ”であるときに、コントローラ１３０は、装着センサ１５４からローレベル信号を受信し、又は、装着されたカートリッジ２００の識別情報が交換前のカートリッジ２００の識別情報と異なると判定し、又は、装着されたカートリッジ２００のインク量Ｖｃが閾値Ｖｍｉｎより大きいと判定したことに基づいて、Ｓ＿Ｅｍｐｔｙフラグを“ＯＦＦ”にし、Ｓ＿Ｅｍｐｔｙ報知画面をディスプレイ１７から消去してもよい。また、Ｓ＿Ｅｍｐｔｙフラグが“ＯＮ”であるときに、コントローラ１３０は報知ではなくインクの吐出を禁止し、Ｓ＿Ｅｍｐｔｙフラグが“ＯＦＦ”であるときに、インクの吐出の禁止を解除してもよい。さらに、コントローラ１３０は、報知と吐出禁止の両方を行ってもよい。
【０２０８】
また、上記実施形態では、コントローラ１３０は、カートリッジ２００が交換された後の総量ＶｔをＥＥＰＲＯＭ１３４に記憶させて、総量Ｖｔからカウント値ＴＮに相当するインク量を差し引いて現在の総量Ｖｔを求めるが、これに代えて、ヘッド２１を通じたインクの排出が実行される毎に総量Ｖｔを更新してＥＥＰＲＯＭ１３４に記憶させ、次のヘッド２１を通じたインクの排出が実行されると、実行されたインクの排出分のインク量をカウント値ＴＮに基づいて算出し、ＥＥＰＲＯＭ１３４に記憶されている総量Ｖｔから差し引いて、総量Ｖｔを更新してもよい。
【０２０９】
上記実施形態では、コントローラ１３０は、装着センサ１５４からローレベル信号を受信し、その後に装着センサ１５４からハイレベル信号を受信し、さらにその後に装着センサ１５４からローレベル信号を受信したことに応じて（Ｓ１４：Ｙｅｓ）、Ｓ１５に示す処理を実行した。コントローラ１３０がＳ１５に示す処理を実行するのは、装着ケース１５０内にカートリッジ２００が存在しない装着ケース１５０内に、カートリッジ２００が装着されたことを契機としている。つまり、コントローラ１３０は、装着ケース１５０内にカートリッジ２００が装着されたと判定したことに応じて、Ｓ１５に示す処理を実行すればよい。なお、コントローラ１３０が、装着センサ１５４からローレベル信号を受信し、その後に装着センサ１５４からハイレベル信号を受信し、さらにその後に装着センサ１５４からローレベル信号を受信したことは、コントローラ１３０が、装着ケース１５０内にカートリッジが装着されたと判定したことの一例である。コントローラ１３０が、装着ケース１５０内にカートリッジ２００が装着されたと判定する、他の例を以下に説明する。
【０２１０】
例えば、コントローラ１３０が、カバーセンサ８８からハイレベル信号を受信した後にローレベル信号を受信する。そして、コントローラ１３０は、ＩＣ基板２４７のメモリから識別情報を読み出して、ＥＥＰＲＯＭ１３４に記憶された交換前のカートリッジ２００の識別情報と比較する。ＩＣ基板２４７のメモリから読み出した識別情報と、ＥＥＰＲＯＭ１３４に記憶された識別情報とが異なると判定したことに応じて、コントローラ１３０は、Ｓ１５に示す処理を実行してもよい。つまり、「コントローラ１３０は、ＩＣ基板２４７のメモリから識別情報を読み出して、ＥＥＰＲＯＭ１３４に記憶された交換前のカートリッジ２００の識別情報と比較する。その結果、ＩＣ基板２４７のメモリから読み出した識別情報と、ＥＥＰＲＯＭ１３４に記憶された識別情報とが異なると判定した」ことが、コントローラ１３０が、装着ケース１５０内にカートリッジ２００が装着されたと判定することの一例である。
【０２１１】
また、例えば、コントローラ１３０が、カバーセンサ８８からハイレベル信号を受信した後にローレベル信号を受信する。そして、コントローラ１３０は、ディスプレイ１７を通じてユーザに、装着ケース１５０内に新たなカートリッジ２００の装着をしたか、を示す確認画面を表示させる。コントローラ１３０は、ディスプレイ１７に確認画面を表示させている一方で、操作パネル２２を通じて、当該確認画面に対応する、入力を受信する。受信した当該入力が、装着ケース１５０内に新たなカートリッジ２００の装着した、ことに対応していることに応じて、コントローラ１３０は、Ｓ１５に示す処理を実行する。つまり、「コントローラ１３０が、カバーセンサ８８からハイレベル信号を受信した後にローレベル信号を受信する。そして、コントローラ１３０は、ディスプレイ１７を通じてユーザに、装着ケース１５０内に新たなカートリッジ２００の装着をしたか、を示す確認画面を表示させる。コントローラ１３０は、ディスプレイ１７に確認画面を表示させている一方で、操作パネル２２を通じて、当該確認画面に対応する、入力を受信する。受信した当該入力が、装着ケース１５０内に新たなカートリッジ２００の装着した、ことに対応している」ことが、コントローラ１３０が、装着ケース１５０内にカートリッジ２００が装着されたと判定することの一例である。
【０２１２】
上記実施形態では、供給管２３０に設けられたインク供給口２３４と、ニードル１８１の開口１８３とが開放されて、供給管２３０のインクバルブ室２１３と、ニードル１８１の内部空間とが連通される例が説明された。インク供給口２３４は、カートリッジ２００の後壁２０２に設けられてもよい。例えば、インク供給口２３４として、後壁２０２を厚み方向に貫通する貫通孔が後壁２０２に形成されてもよい。インク供給口２３４の内部空間は、第１流路の一例である。この変形例では、カートリッジ２００が装着ケース１５０に装着される過程において、ニードル１８１がインク供給口２３４を通じてカートリッジ２００の液室２１０に進入し、ニードル１８１の一端（開口１８３）が、カートリッジ２００の液室２１０の内部に位置する状態となる。これにより、カートリッジ２００の液室２１０と、ニードル１８１の内部空間とが連通される。すなわち、装着ケース１５０にカートリッジ２００が装着された状態において、ニードル１８１の内部空間は、カートリッジ２００の液室２１０とタンク１６０の液室１７１とを連通させる流路を形成する。
【０２１３】
また、開口１８３が、タンク１６０の前壁１６２に設けられてもよい。例えば、開口１８３として、前壁１６２を厚み方向に貫通する貫通孔が前壁１６２に形成されてもよい。開口１８３の内部空間は、第１流路の一例である。この変形例では、カートリッジ２００が装着ケース１５０に装着される過程において、供給管２３０が開口１８３を通じてタンク１６０の液室１７１に進入し、供給管２３０の他端（インク供給口２３４）が、タンク１６０の液室１７１の内部に位置する状態となる。これにより、カートリッジ２００の液室２１０と、ニードル１８１の内部空間とが連通される。すなわち、装着ケース１５０にカートリッジ２００が装着された状態において、インクバルブ室２１３は、カートリッジ２００の液室２１０とタンク１６０の液室１７１とを連通させる流路を形成する。
【０２１４】
また、上記実施形態では、コントローラ１３０が、液面センサ１５５が出力する信号に基づいて、アクチュエータ１９０の被検出部１９４が検出位置に位置しているか否かを検出する構成であるが、液室１７１におけるインクの液面が検出できれば、液面センサ１５５の構成は特に限定されない。例えば、液室１７１の後壁１６４にインクが接触しているか否かによって異なる反射率を有するプリズムを利用して、液室１７１におけるインクの液面を光学的に検出するためのセンサであってもよいし、液室１７１のインクの液面が電極によって検出される構成であってもよい。また、液面センサ１５５は、タンク１６０の液室１７１の液面によって異なる信号を出力するものに代えて、カートリッジ２００の液室２１０の液面によって異なる信号を出力するものであってもよい。
【０２１５】
また、上記実施形態では、４つのＳ＿Ｅｍｐｔｙフラグの少なくとも１つに“ＯＮ”が設定されているときに（Ｓ１１：ＯＮ）、４つのタンク１６０全てについてヘッド２１を通じたインクの排出を禁止する例が説明された。Ｓ＿Ｅｍｐｔｙフラグに“ＯＮ”が設定されているタンク１６０についてのみ、ヘッド２１を通じたインクの排出が禁止されてもよい。また、マゼンタ、シアン、及びイエローに係るＳ＿Ｅｍｐｔｙフラグの少なくとも一つに“ＯＮ”が設定され、ブラックに係るＳ＿Ｅｍｐｔｙフラグに“ＯＦＦ”が設定されている場合に、マゼンタ、シアン、及びイエローのインクの排出が禁止され、ブラックのインクの排出が許可されてもよい。
【０２１６】
また、上記実施形態では、コントローラ１３０は、Ｓ＿Ｅｍｐｔｙフラグが“ＯＮ”であれば、ヘッド２１を通じたインクの排出を禁止するが、ヘッド２１を通じたインクの排出は必ずしも禁止される必要はなく、コントローラ１３０は、Ｓ＿Ｅｍｐｔｙフラグが“ＯＮ”であれば、Ｓ＿Ｅｍｐｔｙ報知画面をディスプレイ１７に表示させるのみであってもよい。
【０２１７】
また、ＩＣ基板２４７は、接点１５２と接触して導通されるが、これにかえて、ＮＦＣ（near field communication）やＲＦＩＤ（radio frequency identification）のような電波を用いて非接触でデータを読み書きする情報媒体とインタフェースとが採用されてもよい。
【０２１８】
また、前述された実施形態では、インクが液体の一例として説明されているが、液体は、例えば、画像記録時にインクに先立って用紙などに吐出される前処理液でもよいし、ヘッド２１を洗浄するための水でもよい。
【符号の説明】
【０２１９】
１０・・・プリンタ（液体排出装置）
１７・・・ディスプレイ（報知機）
２１・・・ヘッド
３２・・・チューブ（第４流路）
１３０・・・コントローラ
１３２・・・ＲＯＭ（メモリ）
１３３・・・ＲＡＭ（メモリ）
１３４・・・ＥＥＰＲＯＭ（メモリ）
１５０・・・装着ケース
１５２・・・接点（インタフェース）
１５４・・・装着センサ
１５５・・・液面センサ
１６０・・・タンク
１７１・・・液室（第２液室）
１７５・・・大気連通室（第５流路）
１８１・・・ニードル（第３流路）
２００・・・カートリッジ
２１０・・・液室（第１液室）
２１３・・・インクバルブ室（第１流路）
２１４・・・大気バルブ室（第２流路）
【図１】
2019209667.tif 000003
【図２】
2019209667.tif 000004
【図３】
2019209667.tif 000005
【図４】
2019209667.tif 000006
【図５】
2019209667.tif 000007
【図６】
2019209667.tif 000008
【図７】
2019209667.tif 000009
【図８】
2019209667.tif 000010
【図９】
2019209667.tif 000011
【図１０】
2019209667.tif 000012
【図１１】
2019209667.tif 000013
【図１２】
2019209667.tif 000014
【図１３】
2019209667.tif 000015
【図１４】
2019209667.tif 000016
【図１５】
2019209667.tif 000017
【図１６】
2019209667.tif 000018
【図１７】
2019209667.tif 000019